(57)【要約】  本発明は、同一チャネルセル干渉を処理するための方法、装置、及びシステム、並びに、基地局及びユーザ端末を開示する。方法は、非サービングセルの干渉情報を取得するステップと、取得した非サービングセルの干渉情報をユーザ端末（UE）に送信するステップとを有する。非サービングセルでUEに対して引き起こされる同一チャネル干渉を十分に抑制又はキャンセルできるとともに、PDSCHを復調する際のUEの性能をより良く向上させることができる。
2016528816.tif 000002
【特許請求の範囲】
【請求項１】
同一チャネルセル干渉を処理するための方法であって、
非サービングセルの干渉情報を取得するステップであって、前記干渉情報が生成パラメータを含み、前記生成パラメータは、前記非サービングセルのユーザ端末固有基準信号配列の初期化パラメータを決定するために使用されるパラメータ値である、ステップと、
取得した前記非サービングセルの前記干渉情報をユーザ端末（UE）に送信するステップと
を有する方法。
【請求項２】
前記生成パラメータが、前記非サービングセルの物理セル識別子又は仮想セル識別子である、請求項1に記載の方法。
【請求項３】
前記干渉情報が、
ユーザ端末固有基準信号配列復調チャネルに基づく送信モードが前記非サービングセルで使用される物理リソースブロック（PRB）に関する情報と、
前記ユーザ端末固有基準信号配列を送信するために前記非サービングセルで使用されるアンテナポートに関する情報と、
前記非サービングセルの物理リソースブロック（PRB）バンドリング情報と、
前記非サービングセルのパイロットデータ出力比情報と
のうちの少なくとも1つのタイプの情報を更に含む、請求項1に記載の方法。
【請求項４】
前記非サービングセルの前記PRBバンドリング情報が、
PRBバンドリングを前記非サービングセルで使用可能か否かに関する情報と、
PRBバンドリングを設定期間内において前記非サービングセルの特定の時間領域リソースで使用可能であるという情報と、
PRBバンドリングを前記非サービングセルの時間−周波数リソースで使用可能であるという情報と
のうちの少なくとも1つを含む、請求項3に記載の方法。
【請求項５】
取得した前記非サービングセルのPRBバンドリング情報をUEに送信するステップが、
前記非サービングセルのエンハンスト物理ダウンリンク制御チャネル（EPDCCH）の構成情報を前記UEに送信するステップを含み、
前記EPDCCHの構成情報は、前記EPDCCHの構成情報にしたがって、PRBバンドリングを前記非サービングセルで使用可能か否かを学習するために前記UEによって使用される情報である、請求項3に記載の方法。
【請求項６】
同一チャネルセル干渉を処理するための方法であって、
非サービングセルの干渉情報を受信するステップであって、前記干渉情報が生成パラメータを含み、前記生成パラメータは、前記非サービングセルのユーザ端末固有基準信号配列の初期化パラメータを決定するために使用されるパラメータ値である、ステップと、
受信した前記干渉情報にしたがって、サービングセルのダウンリンク送信信号に対して前記非サービングセルのダウンリンク送信信号によりもたらされる同一チャネル干渉を処理するステップと
を有する方法。
【請求項７】
受信した前記干渉情報にしたがって、サービングセルのダウンリンク送信信号に対して前記非サービングセルのダウンリンク送信信号によりもたらされる同一チャネル干渉を処理する前記ステップが、
受信した前記生成パラメータにしたがって、前記非サービングセルの前記ユーザ端末固有基準信号配列を決定するステップと、
決定した前記ユーザ端末固有基準信号配列にしたがって、前記非サービングセルのダウンリンク送信チャネルのチャネル推定を実行するステップと、
得られたチャネル推定値と前記非サービングセルのパイロットデータ出力比情報とにしたがって、前記サービングセルのダウンリンク送信信号に対して前記非サービングセルのダウンリンク送信信号によりもたらされる前記同一チャネル干渉を処理するステップと
を含む、請求項6に記載の方法。
【請求項８】
決定した前記ユーザ端末固有基準信号配列にしたがって、前記非サービングセルのダウンリンク送信チャネルのチャネル推定を実行する前記ステップが、
前記サービングセルの現在スケジューリングされる時間−周波数リソースの位置で、物理リソースブロック（PRB）バンドリング情報、ユーザ端末固有基準信号配列復調チャネルに基づく送信モードが前記非サービングセルで使用されるPRBに関する情報、及び決定した前記ユーザ端末固有基準信号配列を送信するために前記非サービングセルで使用されるアンテナポートに関する情報に基づいて、復調パイロットシーケンスを取得するステップであって、前記復調パイロットシーケンスは、アンテナポート情報に対応するアンテナポートに対するものであるとともに、ダウンリンク送信チャネルで送信される基準信号を復調するために使用される、ステップと、
取得した前記復調パイロットシーケンスにしたがって、前記PRBバンドリング情報に基づき、前記非サービングセルの前記ダウンリンク送信チャネルのチャネル推定を実行するステップと
を含む、請求項7に記載の方法。
【請求項９】
前記PRBバンドリング情報が、
予め設定された所定量のPRBのバンドリングであるか、又は、
受信した前記干渉情報から取得される、請求項8に記載の方法。
【請求項１０】
前記ユーザ端末固有基準信号配列復調チャネルに基づく送信モードが前記非サービングセルで使用されるPRBに関する情報が、
受信した前記干渉情報から取得されるか、又は、
前記PRBバンドリング情報に基づいて、前記非サービングセルの物理リソースブロック（PRB）にブラインド検出を実行することによって取得される、請求項8に記載の方法。
【請求項１１】
前記ユーザ端末固有基準信号配列を送信するために前記非サービングセルで使用されるアンテナポートに関する情報が、
受信した前記干渉情報から取得されるか、又は、
前記PRBバンドリング情報に基づいて、前記非サービングセルのPRBにブラインド検出を実行することによって取得される、請求項8に記載の方法。
【請求項１２】
前記非サービングセルの前記PRBバンドリング情報が、
PRBバンドリングを前記非サービングセルで使用可能か否かに関する情報と、
PRBバンドリングを設定期間内において前記非サービングセルの特定の時間領域リソースで使用可能であるという情報と、
PRBバンドリングを前記非サービングセルの時間−周波数リソースで使用可能であるという情報と
のうちの少なくとも1つを含む、請求項8から11のいずれか一項に記載の方法。
【請求項１３】
前記非サービングセルの前記PRBバンドリング情報が、前記非サービングセルのエンハンスト物理ダウンリンク制御チャネル（EPDCCH）の構成情報にしたがって取得される、請求項8から11のいずれか一項に記載の方法。
【請求項１４】
前記非サービングセルの前記パイロットデータ出力比情報が、
受信した前記干渉情報から取得されるか、又は、
予め設定された固定値である、請求項7に記載の方法。
【請求項１５】
同一チャネルセル干渉を処理するための装置であって、
非サービングセルの干渉情報を取得し、取得した前記干渉情報を送信モジュールに送信するように構成された取得モジュールであって、前記干渉情報が生成パラメータを含み、前記生成パラメータは、前記非サービングセルのユーザ端末固有基準信号配列の初期化パラメータを決定するために使用されるパラメータ値である、取得モジュールと、
前記取得モジュールによって送信される前記干渉情報を受信し、取得した前記非サービングセルの前記干渉情報をユーザ端末（UE）に送信するように構成された前記送信モジュールと
を具備する装置。
【請求項１６】
前記取得モジュールによって取得される前記生成パラメータが、前記非サービングセルの物理セル識別子又は仮想セル識別子である、請求項15に記載の装置。
【請求項１７】
前記取得モジュールによって取得される前記干渉情報が、
ユーザ端末固有基準信号配列復調チャネルに基づく送信モードが前記非サービングセルで使用される物理リソースブロック（PRB）に関する情報と、
前記ユーザ端末固有基準信号配列を送信するために前記非サービングセルで使用されるアンテナポートに関する情報と、
前記非サービングセルの物理リソースブロック（PRB）バンドリング情報と、
前記非サービングセルのパイロットデータ出力比情報と
のうちの少なくとも1つのタイプの情報を更に含む、請求項15に記載の装置。
【請求項１８】
前記取得モジュールによって取得される前記非サービングセルの前記PRBバンドリング情報が、
PRBバンドリングを前記非サービングセルで使用可能か否かに関する情報と、
PRBバンドリングを設定期間内において前記非サービングセルの特定の時間領域リソースで使用可能であるという情報と、
PRBバンドリングを前記非サービングセルの時間−周波数リソースで使用可能であるという情報と
のうちの少なくとも1つを含む、請求項17に記載の装置。
【請求項１９】
前記送信モジュールが、前記非サービングセルのエンハンスト物理ダウンリンク制御チャネル（EPDCCH）の構成情報を前記UEに送信するように更に構成され、
前記EPDCCHの構成情報は、前記EPDCCHの構成情報にしたがって、PRBバンドリングを前記非サービングセルで使用可能か否かを学習するために前記UEによって使用される情報である、請求項17に記載の装置。
【請求項２０】
同一チャネルセル干渉を処理するための装置であって、
非サービングセルの干渉情報を受信し、受信した前記干渉情報を処理モジュールに送信するように構成された受信モジュールであって、前記干渉情報が生成パラメータを含み、前記生成パラメータは、前記非サービングセルのユーザ端末固有基準信号配列の初期化パラメータを決定するために使用されるパラメータ値である、受信モジュールと、
前記受信モジュールによって送信される受信した前記干渉情報にしたがって、サービングセルのダウンリンク送信信号に対して前記非サービングセルのダウンリンク送信信号によりもたらされる同一チャネル干渉を処理するように構成された前記処理モジュールと
を具備する装置。
【請求項２１】
前記処理モジュールが、受信した前記生成パラメータにしたがって、前記非サービングセルの前記ユーザ端末固有基準信号配列を決定し、決定した前記ユーザ端末固有基準信号配列にしたがって、前記非サービングセルのダウンリンク送信チャネルのチャネル推定を実行し、得られたチャネル推定値と前記非サービングセルのパイロットデータ出力比情報とにしたがって、前記サービングセルのダウンリンク送信信号に対して前記非サービングセルのダウンリンク送信信号によりもたらされる前記同一チャネル干渉を処理するように更に構成される、請求項20に記載の装置。
【請求項２２】
前記処理モジュールが、前記サービングセルの現在スケジューリングされる時間−周波数リソースの位置で、物理リソースブロック（PRB）バンドリング情報、ユーザ端末固有基準信号配列復調チャネルに基づく送信モードが前記非サービングセルで使用されるPRBに関する情報、及び決定した前記ユーザ端末固有基準信号配列を送信するために前記非サービングセルで使用されるアンテナポートに関する情報に基づいて、復調パイロットシーケンスを取得し、取得した前記復調パイロットシーケンスにしたがって、前記PRBバンドリング情報に基づき、前記非サービングセルの前記ダウンリンク送信チャネルのチャネル推定を実行するように更に構成され、
前記復調パイロットシーケンスは、アンテナポート情報に対応するアンテナポートに対するものであるとともに、ダウンリンク送信チャネルで送信される基準信号を復調するために使用される、請求項21に記載の装置。
【請求項２３】
前記処理モジュールによって取得される前記PRBバンドリング情報が、
予め設定された所定量のPRBのバンドリングであるか、又は、
受信した前記干渉情報から取得される、請求項22に記載の装置。
【請求項２４】
前記処理モジュールによって取得される前記ユーザ端末固有基準信号配列復調チャネルに基づく送信モードが前記非サービングセルで使用されるPRBに関する情報が、
受信した前記干渉情報から取得されるか、又は、
前記PRBバンドリング情報に基づいて、前記非サービングセルの物理リソースブロック（PRB）にブラインド検出を実行することによって取得される、請求項22に記載の装置。
【請求項２５】
前記処理モジュールによって取得される前記ユーザ端末固有基準信号配列を送信するために前記非サービングセルで使用されるアンテナポートに関する情報が、
受信した前記干渉情報から取得されるか、又は、
前記PRBバンドリング情報に基づいて、前記非サービングセルのPRBにブラインド検出を実行することによって取得される、請求項22に記載の装置。
【請求項２６】
前記処理モジュールによって取得される前記非サービングセルの前記PRBバンドリング情報が、
PRBバンドリングを前記非サービングセルで使用可能か否かに関する情報と、
PRBバンドリングを設定期間内において前記非サービングセルの特定の時間領域リソースで使用可能であるという情報と、
PRBバンドリングを前記非サービングセルの時間−周波数リソースで使用可能であるという情報と
のうちの少なくとも1つを含む、請求項22から25のいずれか一項に記載の装置。
【請求項２７】
前記処理モジュールによって取得される前記非サービングセルの前記PRBバンドリング情報が、前記非サービングセルのエンハンスト物理ダウンリンク制御チャネル（EPDCCH）の構成情報にしたがって取得される、請求項22から25のいずれか一項に記載の装置。
【請求項２８】
前記処理モジュールによって取得される前記非サービングセルの前記パイロットデータ出力比情報が、
受信した前記干渉情報から取得されるか、又は、
予め設定された固定値である、請求項21に記載の装置。
【請求項２９】
非サービングセルの干渉情報を取得し、取得した前記干渉情報をトランシーバに送信するように構成された信号プロセッサであって、前記干渉情報が生成パラメータを含み、前記生成パラメータは、前記非サービングセルのユーザ端末固有基準信号配列の初期化パラメータを決定するために使用されるパラメータ値である、信号プロセッサと、
前記信号プロセッサによって送信される前記干渉情報を受信し、取得した前記非サービングセルの前記干渉情報をユーザ端末（UE）に送信するように構成された前記トランシーバと
を具備する基地局。
【請求項３０】
前記信号プロセッサによって取得される前記生成パラメータが、前記非サービングセルの物理セル識別子又は仮想セル識別子である、請求項29に記載の基地局。
【請求項３１】
前記信号プロセッサによって取得される前記干渉情報が、
ユーザ端末固有基準信号配列復調チャネルに基づく送信モードが前記非サービングセルで使用される物理リソースブロック（PRB）に関する情報と、
前記ユーザ端末固有基準信号配列を送信するために前記非サービングセルで使用されるアンテナポートに関する情報と、
前記非サービングセルの物理リソースブロック（PRB）バンドリング情報と、
前記非サービングセルのパイロットデータ出力比情報と
のうちの少なくとも1つのタイプの情報を更に含む、請求項29に記載の基地局。
【請求項３２】
前記信号プロセッサによって取得される前記非サービングセルの前記PRBバンドリング情報が、
PRBバンドリングを前記非サービングセルで使用可能か否かに関する情報と、
PRBバンドリングを設定期間内において前記非サービングセルの特定の時間領域リソースで使用可能であるという情報と、
PRBバンドリングを前記非サービングセルの時間−周波数リソースで使用可能であるという情報と
のうちの少なくとも1つを含む、請求項31に記載の基地局。
【請求項３３】
前記トランシーバが、前記非サービングセルのエンハンスト物理ダウンリンク制御チャネル（EPDCCH）の構成情報を前記UEに送信するように更に構成され、
前記EPDCCHの構成情報は、前記EPDCCHの構成情報にしたがって、PRBバンドリングを前記非サービングセルで使用可能か否かを学習するために前記UEによって使用される情報である、請求項31に記載の基地局。
【請求項３４】
非サービングセルの干渉情報を受信し、受信した前記干渉情報を信号プロセッサに送信するように構成されたトランシーバであって、前記干渉情報が生成パラメータを含み、前記生成パラメータは、前記非サービングセルのユーザ端末固有基準信号配列の初期化パラメータを決定するために使用されるパラメータ値である、トランシーバと、
前記トランシーバによって送信される受信した前記干渉情報にしたがって、サービングセルのダウンリンク送信信号に対して前記非サービングセルのダウンリンク送信信号によりもたらされる同一チャネル干渉を処理するように構成された前記信号プロセッサと
を具備するユーザ端末。
【請求項３５】
前記信号プロセッサが、受信した前記生成パラメータにしたがって、前記非サービングセルの前記ユーザ端末固有基準信号配列を決定し、決定した前記ユーザ端末固有基準信号配列にしたがって、前記非サービングセルのダウンリンク送信チャネルのチャネル推定を実行し、得られたチャネル推定値と前記非サービングセルのパイロットデータ出力比情報とにしたがって、前記サービングセルのダウンリンク送信信号に対して前記非サービングセルのダウンリンク送信信号によりもたらされる前記同一チャネル干渉を処理するようにさらに構成される、請求項34に記載のユーザ端末。
【請求項３６】
前記信号プロセッサが、前記サービングセルの現在スケジューリングされる時間−周波数リソースの位置で、物理リソースブロック（PRB）バンドリング情報、ユーザ端末固有基準信号配列復調チャネルに基づく送信モードが前記非サービングセルで使用されるPRBに関する情報、及び決定した前記ユーザ端末固有基準信号配列を送信するために前記非サービングセルで使用されるアンテナポートに関する情報に基づいて、復調パイロットシーケンスを取得し、取得した前記復調パイロットシーケンスにしたがって、前記PRBバンドリング情報に基づき、前記非サービングセルの前記ダウンリンク送信チャネルのチャネル推定を実行するように更に構成され、
前記復調パイロットシーケンスは、アンテナポート情報に対応するアンテナポートに対するものであるとともに、ダウンリンク送信チャネルで送信される基準信号を復調するために使用される、請求項35に記載のユーザ端末。
【請求項３７】
前記信号プロセッサによって取得される前記PRBバンドリング情報が、
予め設定された所定量のPRBのバンドリングであるか、又は、
受信した前記干渉情報から取得される、請求項36に記載のユーザ端末。
【請求項３８】
前記信号プロセッサによって取得される前記ユーザ端末固有基準信号配列復調チャネルに基づく送信モードが前記非サービングセルで使用されるPRBに関する情報が、
受信した前記干渉情報から取得されるか、又は、
前記PRBバンドリング情報に基づいて、前記非サービングセルの物理リソースブロック（PRB）にブラインド検出を実行することによって取得される、請求項36に記載のユーザ端末。
【請求項３９】
前記信号プロセッサによって取得される前記ユーザ端末固有基準信号配列を送信するために前記非サービングセルで使用されるアンテナポートに関する情報が、
受信した前記干渉情報から取得されるか、又は、
前記PRBバンドリング情報に基づいて、前記非サービングセルのPRBにブラインド検出を実行することによって取得される、請求項36に記載のユーザ端末。
【請求項４０】
前記信号プロセッサによって取得される前記非サービングセルの前記PRBバンドリング情報が、
PRBバンドリングを前記非サービングセルで使用可能か否かに関する情報と、
PRBバンドリングを設定期間内において前記非サービングセルの特定の時間領域リソースで使用可能であるという情報と、
PRBバンドリングを前記非サービングセルの時間−周波数リソースで使用可能であるという情報と
のうちの少なくとも1つを含む、請求項36から39のいずれか一項に記載のユーザ端末。
【請求項４１】
前記信号プロセッサによって取得される前記非サービングセルの前記PRBバンドリング情報が、前記非サービングセルのエンハンスト物理ダウンリンク制御チャネル（EPDCCH）の構成情報にしたがって取得される、請求項36から39のいずれか一項に記載のユーザ端末。
【請求項４２】
前記信号プロセッサによって取得される前記非サービングセルの前記パイロットデータ出力比情報が、
受信した前記干渉情報から取得されるか、又は、
予め設定された固定値である、請求項35に記載のユーザ端末。
【請求項４３】
同一チャネルセル干渉を処理するためのシステムであって、
基地局と
ユーザ端末（UE）と
を具備し、
前記基地局は、非サービングセルの干渉情報を取得し、取得した前記非サービングセルの前記干渉情報を前記UEに送信するように構成され、
前記干渉情報は、生成パラメータを含み、
前記生成パラメータは、前記非サービングセルのユーザ端末固有基準信号配列の初期化パラメータを決定するために使用されるパラメータ値であり、
前記UEは、前記非サービングセルの前記干渉情報を受信し、受信した前記干渉情報にしたがって、サービングセルのダウンリンク送信信号に対して前記非サービングセルのダウンリンク送信信号によりもたらされる同一チャネル干渉を処理するように構成される、システム。
【請求項４４】
前記UEが、受信した前記生成パラメータにしたがって、前記非サービングセルの前記ユーザ端末固有基準信号配列を決定し、決定した前記ユーザ端末固有基準信号配列にしたがって、前記非サービングセルのダウンリンク送信チャネルのチャネル推定を実行し、得られたチャネル推定値と前記非サービングセルのパイロットデータ出力比情報とにしたがって、前記サービングセルのダウンリンク送信信号に対して前記非サービングセルのダウンリンク送信信号によりもたらされる前記同一チャネル干渉を処理するように更に構成される、請求項43に記載のシステム。
【請求項４５】
前記UEが、前記サービングセルの現在スケジューリングされる時間−周波数リソースの位置で、物理リソースブロック（PRB）バンドリング情報、ユーザ端末固有基準信号配列復調チャネルに基づく送信モードが前記非サービングセルで使用されるPRBに関する情報、及び決定した前記ユーザ端末固有基準信号配列を送信するために前記非サービングセルで使用されるアンテナポートに関する情報に基づいて、復調パイロットシーケンスを取得し、取得した前記復調パイロットシーケンスにしたがって、前記PRBバンドリング情報に基づき、前記非サービングセルの前記ダウンリンク送信チャネルのチャネル推定を実行するように更に構成され、
前記復調パイロットシーケンスは、アンテナポート情報に対応するアンテナポートに対するものであるとともに、ダウンリンク送信チャネルで送信される基準信号を復調するために使用される、請求項44に記載のシステム。
【発明の詳細な説明】
【技術分野】
【０００１】
本発明は、無線通信技術の分野に関し、特に、同一チャネルセル干渉を処理するための方法、装置、及びシステム、並びに、基地局及びユーザ端末に関する。
【背景技術】
【０００２】
第3世代（3G）通信システムの発展型システムとして、ロングタームエボリューション（英語：Long  Term  Evolution、略して、LTE）通信システムは、3Gにおけるオーバー・ザ・エアアクセス技術を向上させて高めるとともに、直交周波数分割多重（英語：Orthogonal  Frequency  Division  Multiplexing、略して、OFDM）技術及び多入力多出力（英語：Multiple  Input  Multiple  Output、略して、MIMO）技術をLTE通信システムの無線ネットワーク発展のための固有の標準規格として使用する。第3世代パートナーシッププロジェクト（英語：3rd  Generation  Partnership  Project、略して、3GPP）におけるLTEプロジェクトの主な性能目標は、20MHzのスペクトル帯域幅を伴って100Mbpsのダウンリンクピークレートと50Mbpsのアップリンクピークレートとを与えることができる能力を含み、それにより、基地局の端にあるユーザ端末（英語：User  Terminal、略して、UE）の性能が向上し、基地局の容量が増大するとともに、システム遅延等が減少される。
【０００３】
LTE通信システムのダウンリンク送信リンクにおいて、サービングセルから送信されるデータをUEにより受信する主な手順は、以下の通りである。
【０００４】
ステップ1：UEは、ダウンリンク制御チャネルを聴取して復調するとともに、サービングセルのダウンリンク制御チャネルで送信されるダウンリンク制御情報（英語：Downlink  Control  Information、略して、DCI）を取得する。
【０００５】
ダウンリンク制御チャネルは、物理ダウンリンク制御チャネル（英語：Physical  Downlink  Control  Channel、略して、PDCCH）又はエンハンスト物理ダウンリンク制御チャネル（英語：Enhanced  Physical  Downlink  Control  Channel、略して、EPDCCH）を含んでもよい。サービングセルとは、UEを現在サーブしているセルのことであり、同様に、UEを現在サーブしている基地局がサービング基地局と称される場合がある。UEを現在サーブしていないサービングセルの周波数内セルは、UEの非サービングセルと称される場合がある。
【０００６】
ステップ2：取得したDCIにしたがって、UEは、物理ダウンリンク共有チャネル（英語：Physical  Downlink  Shared  Channel、略して、PDSCH）で送信されるデータを取得するためにPDSCHを聴取して復調する。
【０００７】
ダウンリンク制御チャネルで送信されてUEにより現在受信されるDCIは、PDSCHを復調するようにUEに指示するために必要な情報を含む。例えば、DCIは、リソース割り当て位置、パイロット情報、及び同様のものを含む。PDSCHを復調する際、UEは、一般に、パイロット情報にしたがってサービングセルに関してチャネル推定を行った後、PDSCHの復調を完了する。
【０００８】
PDSCHを復調する際、UEが同一チャネル干渉に晒されなければ、UEは、干渉抑制処理又は干渉キャンセル処理を行う必要がない。例えば、UEは、最小平均2乗誤差（英語：Minimum  Mean  Square  Error、略して、MMSE）アルゴリズムのみを使用することにより比較的良好な復調性能を得てもよい。しかしながら、一般に、UEは、非サービングセル又はサービングセル内の対を成すUEにより引き起こされる同一チャネル干渉に晒される場合があり、また、干渉は、PDSCHを復調する際のUEの性能を低下させる。
【０００９】
結論として、一般に、PDSCHを復調する際、UEは、非サービングセルにより引き起こされる同一チャネル干渉に晒される場合があり、したがって、PDSCHを復調する際のUEの性能は比較的低い。
【発明の概要】
【課題を解決するための手段】
【００１０】
本発明は、UEに対して非サービングセルにより引き起こされる同一チャネル干渉を十分に抑制又はキャンセルできるとともに、PDSCHを復調する際のUEの性能をより良く向上させることができる、同一チャネルセル干渉を処理するための方法、装置、及びシステム、並びに、基地局及びユーザ端末を提供する。
【００１１】
第1の態様によれば、同一チャネルセル干渉を処理するための方法が提供され、この方法は、非サービングセルの干渉情報を取得するステップであって、干渉情報が生成パラメータを含み、生成パラメータが、非サービングセルのユーザ端末固有基準信号配列の初期化パラメータを決定するために使用されるパラメータ値である、ステップと、取得した非サービングセルの干渉情報をユーザ端末（UE）に送信するステップとを含む。
【００１２】
第1の態様の第1の想定し得る実施態様において、生成パラメータは、非サービングセルの物理セル識別子又は仮想セル識別子である。
【００１３】
第1の態様の第2の想定し得る実施態様において、干渉情報は、以下の情報、すなわち、ユーザ端末固有基準信号配列復調チャネルに基づく送信モードが非サービングセルで使用される物理リソースブロック（PRB）に関する情報と、ユーザ端末固有基準信号配列を送信するために非サービングセルで使用されるアンテナポートに関する情報と、非サービングセルの物理リソースブロック（PRB）バンドリング情報と、非サービングセルのパイロットデータ出力比情報とのうちの少なくとも1つのタイプの情報を更に含む。
【００１４】
第1の態様の第2の想定し得る実施態様に関連して、第1の態様の第3の想定し得る実施態様において、非サービングセルのPRBバンドリング情報は、以下のうちの少なくとも1つ、すなわち、PRBバンドリングを非サービングセルで使用可能か否かに関する情報と、PRBバンドリングを設定期間内において非サービングセルの特定の時間領域リソースで使用可能であるという情報と、PRBバンドリングを非サービングセルの時間−周波数リソースで使用可能であるという情報とのうちの少なくとも1つを含む。
【００１５】
第1の態様の第2の想定し得る実施態様に関連して、第1の態様の第4の想定し得る実施態様において、取得した非サービングセルのPRBバンドリング情報をUEに送信するステップは、非サービングセルのエンハンスト物理ダウンリンク制御チャネル（EPDCCH）の構成情報をUEに送信するステップを含み、ここで、EPDCCHの構成情報は、EPDCCHの構成情報にしたがって、PRBバンドリングを非サービングセルで使用可能か否かを学習するためにUEによって使用される情報である。
【００１６】
第2の態様によれば、同一チャネルセル干渉を処理するための方法が提供され、この方法は、非サービングセルの干渉情報を受信するステップであって、干渉情報が生成パラメータを含み、生成パラメータが、非サービングセルのユーザ端末固有基準信号配列の初期化パラメータを決定するために使用されるパラメータ値である、ステップと、受信した干渉情報にしたがって、サービングセルのダウンリンク送信信号に対して非サービングセルのダウンリンク送信信号によりもたらされる同一チャネル干渉を処理するステップとを含む。
【００１７】
第2の態様の第1の想定し得る実施態様において、受信した干渉情報にしたがって、サービングセルのダウンリンク送信信号に対して非サービングセルのダウンリンク送信信号によりもたらされる同一チャネル干渉を処理するステップは、受信した生成パラメータにしたがって、非サービングセルのユーザ端末固有基準信号配列を決定するステップと、決定したユーザ端末固有基準信号配列にしたがって、非サービングセルのダウンリンク送信チャネルのチャネル推定を実行するステップと、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理するステップとを含む。
【００１８】
第2の態様の第1の想定し得る実施態様に関連して、第2の態様の第2の想定し得る実施態様において、決定したユーザ端末固有基準信号配列にしたがって、非サービングセルのダウンリンク送信チャネルのチャネル推定を実行するステップは、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び決定したユーザ端末固有基準信号配列を送信するために非サービングセルで使用されるアンテナポートに関する情報に基づいて、復調パイロットシーケンスを取得するステップであって、復調パイロットシーケンスが、アンテナポート情報に対応するアンテナポートに対するものであるとともに、ダウンリンク送信チャネルで送信される基準信号を復調するために使用される、ステップと、取得した復調パイロットシーケンスにしたがって、PRBバンドリング情報に基づき、非サービングセルのダウンリンク送信チャネルのチャネル推定を実行するステップとを含む。
【００１９】
第2の態様の第2の想定し得る実施態様に関連して、第2の態様の第3の想定し得る実施態様において、PRBバンドリング情報は、予め設定された所定量のPRBのバンドリングであるか、又は、PRBバンドリング情報は、受信した干渉情報から取得される。
【００２０】
第2の態様の第2の想定し得る実施態様に関連して、第2の態様の第4の想定し得る実施態様において、ユーザ端末固有基準信号配列復調チャネルに基づく送信モードが非サービングセルで使用されるPRBに関する情報は、受信した干渉情報から取得されるか、又は、ユーザ端末固有基準信号配列復調チャネルに基づく送信モードが非サービングセルで使用されるPRBに関する情報は、PRBバンドリング情報に基づいて、非サービングセルの物理リソースブロック（PRB）にブラインド検出を実行することによって取得される。
【００２１】
第2の態様の第2の想定し得る実施態様に関連して、第2の態様の第5の想定し得る実施態様において、ユーザ端末固有基準信号配列を送信するために非サービングセルで使用されるアンテナポートに関する情報は、受信した干渉情報から取得されるか、又は、ユーザ端末固有基準信号配列を送信するために非サービングセルで使用されるアンテナポートに関する情報は、PRBバンドリング情報に基づいて、非サービングセルのPRBにブラインド検出を実行することによって取得される。
【００２２】
第2の態様の第2の想定し得る実施態様から第2の態様の第5の想定し得る実施態様のいずれか1つに関連して、第2の態様の第6の想定し得る実施態様において、非サービングセルのPRBバンドリング情報は、以下のうちの少なくとも1つ、すなわち、PRBバンドリングを非サービングセルで使用可能か否かに関する情報と、PRBバンドリングを設定期間内において非サービングセルの特定の時間領域リソースで使用可能であるという情報と、PRBバンドリングを非サービングセルの時間−周波数リソースで使用可能であるという情報とのうちの少なくとも1つを含む。
【００２３】
第2の態様の第2の想定し得る実施態様から第2の態様の第5の想定し得る実施態様のいずれか1つに関連して、第2の態様の第7の想定し得る実施態様において、非サービングセルのPRBバンドリング情報は、非サービングセルのエンハンスト物理ダウンリンク制御チャネル（EPDCCH）の構成情報にしたがって取得される。
【００２４】
第2の態様の第1の想定し得る実施態様に関連して、第2の態様の第8の想定し得る実施態様において、非サービングセルのパイロットデータ出力比情報は、受信した干渉情報から取得されるか、又は、非サービングセルのパイロットデータ出力比情報は、予め設定された固定値である。
【００２５】
第3の態様によれば、同一チャネルセル干渉を処理するための装置が提供され、この装置は、非サービングセルの干渉情報を取得し、取得した干渉情報を送信モジュールに送信するように構成された取得モジュールであって、干渉情報が生成パラメータを含み、生成パラメータが、非サービングセルのユーザ端末固有基準信号配列の初期化パラメータを決定するために使用されるパラメータ値である、取得モジュールと、取得モジュールによって送信される干渉情報を受信し、取得した非サービングセルの干渉情報をユーザ端末（UE）に送信するように構成された送信モジュールとを含む。
【００２６】
第3の態様の第1の想定し得る実施態様において、取得モジュールによって取得される生成パラメータは、非サービングセルの物理セル識別子又は仮想セル識別子である。
【００２７】
第3の態様の第2の想定し得る実施態様において、取得モジュールによって取得される干渉情報は、以下の情報、すなわち、ユーザ端末固有基準信号配列復調チャネルに基づく送信モードが非サービングセルで使用される物理リソースブロック（PRB）に関する情報と、ユーザ端末固有基準信号配列を送信するために非サービングセルで使用されるアンテナポートに関する情報と、非サービングセルの物理リソースブロック（PRB）バンドリング情報と、非サービングセルのパイロットデータ出力比情報とのうちの少なくとも1つのタイプの情報を更に含む。
【００２８】
第3の態様の第2の想定し得る実施態様に関連して、第3の態様の第3の想定し得る実施態様において、取得モジュールによって取得される非サービングセルのPRBバンドリング情報は、以下のうちの少なくとも1つ、すなわち、PRBバンドリングを非サービングセルで使用可能か否かに関する情報と、PRBバンドリングを設定期間内において非サービングセルの特定の時間領域リソースで使用可能であるという情報と、PRBバンドリングを非サービングセルの時間−周波数リソースで使用可能であるという情報とのうちの少なくとも1つを含む。
【００２９】
第3の態様の第2の想定し得る実施態様に関連して、第3の態様の第4の想定し得る実施態様において、送信モジュールは、非サービングセルのエンハンスト物理ダウンリンク制御チャネル（EPDCCH）の構成情報をUEに送信するように更に構成され、ここで、EPDCCHの構成情報は、EPDCCHの構成情報にしたがって、PRBバンドリングを非サービングセルで使用可能か否かを学習するためにUEによって使用される情報である。
【００３０】
第4の態様によれば、同一チャネルセル干渉を処理するための装置が提供され、この装置は、非サービングセルの干渉情報を受信し、受信した干渉情報を処理モジュールに送信するように構成された受信モジュールであって、干渉情報が生成パラメータを含み、生成パラメータが、非サービングセルのユーザ端末固有基準信号配列の初期化パラメータを決定するために使用されるパラメータ値である、受信モジュールと、受信モジュールによって送信される受信した干渉情報にしたがって、サービングセルのダウンリンク送信信号に対して非サービングセルのダウンリンク送信信号によりもたらされる同一チャネル干渉を処理するように構成された処理モジュールとを含む。
【００３１】
第4の態様の第1の想定し得る実施態様において、処理モジュールは、受信した生成パラメータにしたがって、非サービングセルのユーザ端末固有基準信号配列を決定し、決定したユーザ端末固有基準信号配列にしたがって、非サービングセルのダウンリンク送信チャネルのチャネル推定を実行し、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理するように更に構成される。
【００３２】
第4の態様の第1の想定し得る実施態様に関連して、第4の態様の第2の想定し得る実施態様において、処理モジュールは、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び決定したユーザ端末固有基準信号配列を送信するために非サービングセルで使用されるアンテナポートに関する情報に基づいて、復調パイロットシーケンスを取得し、取得した復調パイロットシーケンスにしたがって、PRBバンドリング情報に基づき、非サービングセルのダウンリンク送信チャネルのチャネル推定を実行するように更に構成され、ここで、復調パイロットシーケンスは、アンテナポート情報に対応するアンテナポートに対するものであるとともに、ダウンリンク送信チャネルで送信される基準信号を復調するために使用される。
【００３３】
第4の態様の第2の想定し得る実施態様に関連して、第4の態様の第3の想定し得る実施態様において、処理モジュールによって取得されるPRBバンドリング情報は、予め設定された所定量のPRBのバンドリングであるか、又は、PRBバンドリング情報は、受信した干渉情報から取得される。
【００３４】
第4の態様の第2の想定し得る実施態様に関連して、第4の態様の第4の想定し得る実施態様において、処理モジュールによって取得されるユーザ端末固有基準信号配列復調チャネルに基づく送信モードが非サービングセルで使用されるPRBに関する情報は、受信した干渉情報から取得されるか、又は、ユーザ端末固有基準信号配列復調チャネルに基づく送信モードが非サービングセルで使用されるPRBに関する情報は、PRBバンドリング情報に基づいて、非サービングセルの物理リソースブロック（PRB）にブラインド検出を実行することによって取得される。
【００３５】
第4の態様の第2の想定し得る実施態様に関連して、第4の態様の第5の想定し得る実施態様において、処理モジュールによって取得されるユーザ端末固有基準信号配列を送信するために非サービングセルで使用されるアンテナポートに関する情報は、受信した干渉情報から取得されるか、又は、ユーザ端末固有基準信号配列を送信するために非サービングセルで使用されるアンテナポートに関する情報は、PRBバンドリング情報に基づいて、非サービングセルのPRBにブラインド検出を実行することによって取得される。
【００３６】
第4の態様の第2の想定し得る実施態様から第4の態様の第5の想定し得る実施態様のいずれか1つに関連して、第4の態様の第6の想定し得る実施態様において、処理モジュールによって取得される非サービングセルのPRBバンドリング情報は、以下のうちの少なくとも1つ、すなわち、PRBバンドリングを非サービングセルで使用可能か否かに関する情報と、PRBバンドリングを設定期間内において非サービングセルの特定の時間領域リソースで使用可能であるという情報と、PRBバンドリングを非サービングセルの時間−周波数リソースで使用可能であるという情報とのうちの少なくとも1つを含む。
【００３７】
第4の態様の第2の想定し得る実施態様から第4の態様の第5の想定し得る実施態様のいずれか1つに関連して、第4の態様の第7の想定し得る実施態様において、処理モジュールによって取得される非サービングセルのPRBバンドリング情報は、非サービングセルのエンハンスト物理ダウンリンク制御チャネル（EPDCCH）の構成情報にしたがって取得される。
【００３８】
第4の態様の第1の想定し得る実施態様に関連して、第4の態様の第8の想定し得る実施態様において、処理モジュールによって取得される非サービングセルのパイロットデータ出力比情報は、受信した干渉情報から取得されるか、又は、非サービングセルのパイロットデータ出力比情報は、予め設定された固定値である。
【００３９】
第5の態様によれば、基地局が提供され、この基地局は、非サービングセルの干渉情報を取得し、取得した干渉情報をトランシーバに送信するように構成された信号プロセッサであって、干渉情報が生成パラメータを含み、生成パラメータが、非サービングセルのユーザ端末固有基準信号配列の初期化パラメータを決定するために使用されるパラメータ値である、信号プロセッサと、信号プロセッサによって送信される干渉情報を受信し、取得した非サービングセルの干渉情報をユーザ端末（UE）に送信するように構成されたトランシーバとを含む。
【００４０】
第5の態様の第1の想定し得る実施態様において、信号プロセッサによって取得される生成パラメータは、非サービングセルの物理セル識別子又は仮想セル識別子である。
【００４１】
第5の態様の第2の想定し得る実施態様において、信号プロセッサによって取得される干渉情報は、以下の情報、すなわち、ユーザ端末固有基準信号配列復調チャネルに基づく送信モードが非サービングセルで使用される物理リソースブロック（PRB）に関する情報と、ユーザ端末固有基準信号配列を送信するために非サービングセルで使用されるアンテナポートに関する情報と、非サービングセルの物理リソースブロック（PRB）バンドリング情報と、非サービングセルのパイロットデータ出力比情報とのうちの少なくとも1つのタイプの情報を更に含む。
【００４２】
第5の態様の第2の想定し得る実施態様に関連して、第5の態様の第3の想定し得る実施態様において、信号プロセッサによって取得される非サービングセルのPRBバンドリング情報は、以下のうちの少なくとも1つ、すなわち、PRBバンドリングを非サービングセルで使用可能か否かに関する情報と、PRBバンドリングを設定期間内において非サービングセルの特定の時間領域リソースで使用可能であるという情報と、PRBバンドリングを非サービングセルの時間−周波数リソースで使用可能であるという情報とのうちの少なくとも1つを含む。
【００４３】
第5の態様の第2の想定し得る実施態様に関連して、第5の態様の第4の想定し得る実施態様において、トランシーバは、非サービングセルのエンハンスト物理ダウンリンク制御チャネル（EPDCCH）の構成情報をUEに送信するように更に構成され、EPDCCHの構成情報は、EPDCCHの構成情報にしたがって、PRBバンドリングを非サービングセルで使用可能か否かを学習するためにUEによって使用される情報である。
【００４４】
第6の態様によれば、ユーザ端末が提供され、このユーザ端末は、非サービングセルの干渉情報を受信し、受信した干渉情報を信号プロセッサに送信するように構成されたトランシーバであって、干渉情報が生成パラメータを含み、生成パラメータが、非サービングセルのユーザ端末固有基準信号配列の初期化パラメータを決定するために使用されるパラメータ値である、トランシーバと、トランシーバによって送信される受信した干渉情報にしたがって、サービングセルのダウンリンク送信信号に対して非サービングセルのダウンリンク送信信号によりもたらされる同一チャネル干渉を処理するように構成された信号プロセッサとを含む。
【００４５】
第6の態様の第1の想定し得る実施態様において、信号プロセッサは、受信した生成パラメータにしたがって、非サービングセルのユーザ端末固有基準信号配列を決定し、決定したユーザ端末固有基準信号配列にしたがって、非サービングセルのダウンリンク送信チャネルのチャネル推定を実行し、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理するように更に構成される。
【００４６】
第6の態様の第1の想定し得る実施態様に関連して、第6の態様の第2の想定し得る実施態様において、信号プロセッサは、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び決定したユーザ端末固有基準信号配列を送信するために非サービングセルで使用されるアンテナポートに関する情報に基づいて、復調パイロットシーケンスを取得し、取得した復調パイロットシーケンスにしたがって、PRBバンドリング情報に基づき、非サービングセルのダウンリンク送信チャネルのチャネル推定を実行するように更に構成され、ここで、復調パイロットシーケンスは、アンテナポート情報に対応するアンテナポートに対するものであるとともに、ダウンリンク送信チャネルで送信される基準信号を復調するために使用される。
【００４７】
第6の態様の第2の想定し得る実施態様に関連して、第6の態様の第3の想定し得る実施態様において、信号プロセッサによって取得されるPRBバンドリング情報は、予め設定された所定量のPRBのバンドリングであるか、又は、PRBバンドリング情報は、受信した干渉情報から取得される。
【００４８】
第6の態様の第2の想定し得る実施態様に関連して、第6の態様の第4の想定し得る実施態様において、信号プロセッサによって取得されるユーザ端末固有基準信号配列復調チャネルに基づく送信モードが非サービングセルで使用されるPRBに関する情報は、受信した干渉情報から取得されるか、又は、ユーザ端末固有基準信号配列復調チャネルに基づく送信モードが非サービングセルで使用されるPRBに関する情報は、PRBバンドリング情報に基づいて、非サービングセルの物理リソースブロック（PRB）にブラインド検出を実行することによって取得される。
【００４９】
第6の態様の第2の想定し得る実施態様に関連して、第6の態様の第5の想定し得る実施態様において、信号プロセッサによって取得されるユーザ端末固有基準信号配列を送信するために非サービングセルで使用されるアンテナポートに関する情報は、受信した干渉情報から取得されるか、又は、ユーザ端末固有基準信号配列を送信するために非サービングセルで使用されるアンテナポートに関する情報は、PRBバンドリング情報に基づいて、非サービングセルのPRBにブラインド検出を実行することによって取得される。
【００５０】
第6の態様の第2の想定し得る実施態様から第6の態様の第5の想定し得る実施態様のいずれか1つに関連して、第6の態様の第6の想定し得る実施態様において、信号プロセッサによって取得される非サービングセルのPRBバンドリング情報は、以下のうちの少なくとも1つ、すなわち、PRBバンドリングを非サービングセルで使用可能か否かに関する情報と、PRBバンドリングを設定期間内において非サービングセルの特定の時間領域リソースで使用可能であるという情報と、PRBバンドリングを非サービングセルの時間−周波数リソースで使用可能であるという情報とのうちの少なくとも1つを含む。
【００５１】
第6の態様の第2の想定し得る実施態様から第6の態様の第5の想定し得る実施態様のいずれか1つに関連して、第6の態様の第7の想定し得る実施態様において、信号プロセッサによって取得される非サービングセルのPRBバンドリング情報は、非サービングセルのエンハンスト物理ダウンリンク制御チャネル（EPDCCH）の構成情報にしたがって取得される。
【００５２】
第6の態様の第1の想定し得る実施態様に関連して、第6の態様の第8の想定し得る実施態様において、信号プロセッサによって取得される非サービングセルのパイロットデータ出力比情報は、受信した干渉情報から取得されるか、又は、非サービングセルのパイロットデータ出力比情報は、予め設定された固定値である。
【００５３】
第7の態様によれば、同一チャネルセル干渉を処理するためのシステムが提供され、このシステムは、基地局と、ユーザ端末とを含み、基地局は、非サービングセルの干渉情報を取得し、取得した非サービングセルの干渉情報をUEに送信するように構成され、ここで、干渉情報は、生成パラメータを含み、生成パラメータは、非サービングセルのユーザ端末固有基準信号配列の初期化パラメータを決定するために使用されるパラメータ値であり、UEは、非サービングセルの干渉情報を受信し、受信した干渉情報にしたがって、サービングセルのダウンリンク送信信号に対して非サービングセルのダウンリンク送信信号によりもたらされる同一チャネル干渉を処理するように構成される。
【００５４】
第7の態様の第1の想定し得る実施態様において、UEは、受信した生成パラメータにしたがって、非サービングセルのユーザ端末固有基準信号配列を決定し、決定したユーザ端末固有基準信号配列にしたがって、非サービングセルのダウンリンク送信チャネルのチャネル推定を実行し、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理するように更に構成される。
【００５５】
第7の態様の第1の想定し得る実施態様に関連して、第7の態様の第2の想定し得る実施態様において、UEは、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び決定したユーザ端末固有基準信号配列を送信するために非サービングセルで使用されるアンテナポートに関する情報に基づいて、復調パイロットシーケンスを取得し、取得した復調パイロットシーケンスにしたがって、PRBバンドリング情報に基づき、非サービングセルのダウンリンク送信チャネルのチャネル推定を実行するように更に構成され、ここで、復調パイロットシーケンスは、アンテナポート情報に対応するアンテナポートに対するものであるとともに、ダウンリンク送信チャネルで送信される基準信号を復調するために使用される。
【００５６】
第7の態様の第2の想定し得る実施態様に関連して、第7の態様の第3の想定し得る実施態様において、UEによって取得されるPRBバンドリング情報は、予め設定された所定量のPRBのバンドリングであるか、又は、PRBバンドリング情報は、受信した干渉情報から取得される。
【００５７】
第7の態様の第2の想定し得る実施態様に関連して、第7の態様の第4の想定し得る実施態様において、UEによって取得されるユーザ端末固有基準信号配列復調チャネルに基づく送信モードが非サービングセルで使用されるPRBに関する情報は、受信した干渉情報から取得されるか、又は、ユーザ端末固有基準信号配列復調チャネルに基づく送信モードが非サービングセルで使用されるPRBに関する情報は、PRBバンドリング情報に基づいて、非サービングセルの物理リソースブロック（PRB）にブラインド検出を実行することによって取得される。
【００５８】
第7の態様の第2の想定し得る実施態様に関連して、第7の態様の第5の想定し得る実施態様において、UEによって取得されるユーザ端末固有基準信号配列を送信するために非サービングセルで使用されるアンテナポートに関する情報は、受信した干渉情報から取得されるか、又は、ユーザ端末固有基準信号配列を送信するために非サービングセルで使用されるアンテナポートに関する情報は、PRBバンドリング情報に基づいて、非サービングセルのPRBにブラインド検出を実行することによって取得される。
【００５９】
第7の態様の第2の想定し得る実施態様から第7の態様の第5の想定し得る実施態様のいずれか1つに関連して、第7の態様の第6の想定し得る実施態様において、UEによって取得される非サービングセルのPRBバンドリング情報は、以下のうちの少なくとも1つ、すなわち、PRBバンドリングを非サービングセルで使用可能か否かに関する情報と、PRBバンドリングを設定期間内において非サービングセルの特定の時間領域リソースで使用可能であるという情報と、PRBバンドリングを非サービングセルの時間−周波数リソースで使用可能であるという情報とのうちの少なくとも1つを含む。
【００６０】
第7の態様の第2の想定し得る実施態様から第7の態様の第5の想定し得る実施態様のいずれか1つに関連して、第7の態様の第7の想定し得る実施態様において、UEによって取得される非サービングセルのPRBバンドリング情報は、非サービングセルのエンハンスト物理ダウンリンク制御チャネル（EPDCCH）の構成情報にしたがって取得される。
【００６１】
第7の態様の第1の想定し得る実施態様に関連して、第7の態様の第8の想定し得る実施態様において、UEによって取得される非サービングセルのパイロットデータ出力比情報は、受信した干渉情報から取得されるか、又は、非サービングセルのパイロットデータ出力比情報は、予め設定された固定値である。
【００６２】
前述の技術的な解決策を使用することにより、ネットワークデバイス側では、非サービングセルの干渉情報を取得し、取得した非サービングセルの干渉情報がUEに送信され、干渉情報は生成パラメータを含み、また、端末側では、UEは、受信した非サービングセルの干渉情報にしたがって、サービングセルのダウンリンク送信信号に対して非サービングセルのダウンリンク送信信号によりもたらされる同一チャネル干渉を処理する。ネットワークデバイスは、非サービングセルの干渉情報をUEに送信し、それにより、UEは、受信した非サービングセルの干渉情報にしたがって、サービングセルのダウンリンク送信信号に対して非サービングセルによりもたらされる同一チャネル干渉を抑制又はキャンセルすることができ、その結果、ダウンリンク送信チャネルを復調する際のUEの性能が向上する。
【図面の簡単な説明】
【００６３】
【図１】本発明の第1実施形態に係る同一チャネルセル干渉を処理するためのシステムの概略構造図である。
【図２】EPDCCHによって占められるPRBの概略構造図である。
【図３】非サービングセルのリソースがスケジューリングされる異なる態様を示す。
【図４】本発明の第1実施形態に係る合意モードにしたがって基地局が互いにスケジューリング及び送信を行うときのサブフレーム中のPRB占有状態の概略図である。
【図５】本発明の第2実施形態に係る同一チャネルセル干渉を処理するための方法のフローチャートである。
【図６】本発明の第3実施形態に係るネットワークデバイスにより同一チャネルセル干渉を処理するための方法のフローチャートである。
【図７】本発明の第3実施形態に係るネットワーク側で同一チャネルセル干渉を処理するための装置の概略構造図である。
【図８】本発明の第3実施形態に係る基地局の概略構造図である。
【図９】本発明の第4実施形態に係るUE側で同一チャネルセル干渉を処理するための方法のフローチャートである。
【図１０】本発明の第4実施形態に係るUE側で同一チャネルセル干渉を処理するための装置の概略構造図である。
【図１１】本発明の第4実施形態に係るユーザ端末の概略構造図である。
【発明を実施するための形態】
【００６４】
一般にUEがPDSCHを復調するとき、UEは、UEに対して非サービングセルにより引き起こされる同一チャネル干渉を受信する場合があり、それにより、PDSCHを復調する際のUEの性能が比較的低いという問題がもたらされる。本発明の実施形態で提案される技術的な解決策では、非サービングセルの干渉情報を取得し、取得した非サービングセルの干渉情報がUEに送信されるとともに、UEが、受信した非サービングセルの干渉情報にしたがって、サービングセルのダウンリンク送信信号に対して非サービングセルのダウンリンク送信信号によりもたらされる同一チャネル干渉を処理する。非サービングセルの干渉情報がUEに送信され、それにより、UEは、受信した非サービングセルの干渉情報にしたがって、サービングセルのダウンリンク送信信号に対して非サービングセルによりもたらされる同一チャネル干渉を抑制又はキャンセルすることができ、その結果、ダウンリンク送信チャネルを復調する際のUEの性能が向上される。
【００６５】
この明細書中に記載される技術は、様々な通信システム、例えば、現在の2G及び3G通信システム並びに次世代通信システム、例えば、グローバルシステム・フォー・モバイルコミュニケーションズ（英語：Global  System  for  Mobile  communications、略して、GSM（登録商標））、符号分割多重アクセス（英語：Code  Division  Multiple  Access、略して、CDMA）システム、時分割多重アクセス（英語：Time  Division  Multiple  Access、略して、TDMA）システム、広帯域符号分割多重アクセス（英語：Wideband  Code  Division  Multiple  Access  Wireless、略して、WCDMA（登録商標））システム、周波数割多重アクセス（英語：Frequency  Division  Multiple  Addressing、略して、FDMA）システム、直交周波数割多重アクセス（英語：Orthogonal  Frequency-Division  Multiple  Access、略して、OFDMA）システム、シングルキャリアFDMA（SC-FDMA）システム、汎用パケット無線通信サービス（英語：General  Packet  Radio  Service、略して、GPRS）システム、ロングタームエボリューション（英語：Long  Term  Evolution、略して、LTE）システム、及び、他の通信システムに適用されてもよい。
【００６６】
この明細書中には、ユーザ端末及び／又は基地局及び／又は基地局コントローラに関して様々な態様が記載される。
【００６７】
ユーザ端末は、無線端末又は有線端末であってもよい。無線端末とは、音声／データ接続性をユーザに与えるデバイス、無線接続機能を伴う手持ち式デバイス、又は無線モデムに接続される他の処理デバイスのことである。無線端末は、無線アクセスネットワーク（例えば、英語：Radio  Access  Network、略して、RAN）を介して1つ以上のコアネットワークと通信してもよい。無線端末は携帯電話（「セルラー」フォンとも称される）などの携帯端末であってもよく、また、携帯端末を伴うコンピュータは、例えば、音声及び／又はデータを無線アクセスネットワークとやりとりする携帯型、ポケットサイズ、手持ち式、コンピュータ内蔵式、又は車載のモバイル装置であってもよい。例えば、無線端末は、パーソナル通信サービス（英語：Personal  Communication  Service、略して、PCS）フォン、ワイヤレスローカルループ（英語：Wireless  Local  Loop、略して、WLL）ステーション、又はパーソナルデジタルアシスタント（英語：Personal  Digital  Assistant、略して、PDA）などのデバイスであってもよい。無線端末は、システム、加入者ユニット（英語：Subscriber  Unit）、加入者ステーション（英語：Subscriber  Station）、モバイルステーション（英語：Mobile Station）、モバイルターミナル（英語：Mobile  Station、略して、MS）、遠隔ステーション（英語：Remote  Station、略して、RS）、アクセスポイント（英語：Access  Point、略して、AP）、遠隔端末（英語：Remote  Terminal）、アクセス端末（英語：Access  Terminal）、ユーザ端末（英語：User  Terminal）、ユーザエージェント（英語：User  Agent）、ユーザデバイス（英語：User  Device）、又はユーザ機器（英語：User  Equipment）と称されてもよい。
【００６８】
基地局（例えば、アクセスポイント）とは、アクセスネットワーク内で、エアインタフェース上で1つ以上のセクタを介して無線端末と通信するデバイスのことであってもよい。基地局は、受信されるオーバー・ザ・エアフレーム及びIPパケットを相互に変換して、無線端末とアクセスネットワークの静止部との間のルータとしての機能を果たすように構成されてもよく、この場合、アクセスネットワークの静止部は、インターネットプロトコル（略して、IP）ネットワークを含んでもよい。また、基地局は、エアインタフェースの属性管理を調整してもよい。例えば、基地局は、GSM（登録商標）又はCDMAにおける基地局（英語：Base  Transceiver  Station、略して、BTS）であってもよく、又は、WCDMA（登録商標）における基地局（英語：NodeB）であってもよく、又は、LTEにおける発展型ノードB（英語：evolutional  Node  B、略して、eNB、又は、e-NodeB）であってもよく、本発明において限定されない。
【００６９】
基地局コントローラは、GSM（登録商標）又はCDMAにおける「基地局コントローラ（英語：base  station  controller、略して、BSC）、又は、WCDMA（登録商標）における無線ネットワークコントローラ（英語：Radio  Network  Controller、略して、RNC）であってもよく、本発明において限定されない。
【００７０】
また、この明細書中において、用語「システム」及び「ネットワーク」は置き換え可能に使用されてもよい。この明細書中における用語「及び／又は」は、関連する対象物を説明するための相関関係を単に表しているにすぎず、3つの関係が存在し得ることを示す。例えば、A及び／又はBは、以下の3つのケース、すなわち、Aのみが存在すること、A及びBの両方が存在すること、及びBのみが存在することを表してもよい。また、この明細書中における文字「／」は、一般に、関連する対象物間の「又は」関係を示す。
【００７１】
この明細書中におけるユーザ端末固有基準信号（英語：UE-specific  reference  signals）及び復調基準信号（英語：Demodulation  Reference  Signal、略して、DM-RS）は、互いに置き換え可能であってもよく、また、説明を容易にするために、この明細書中では、詳細な説明において、ユーザ端末固有基準信号が一例として使用される。
【００７２】
本発明の実施形態の目的、技術的解決策、及び利点を更に明確にするために、以下では、本発明の実施形態における添付の図面を参照して、本発明の実施形態における技術的解決策を明確且つ十分に説明する。当然ながら、説明される実施形態は、本発明の実施形態の一部であって、全てではない。創造的労力を伴うことなく本発明の実施形態に基づいて当業者により得られる他の全ての実施形態は、本発明の保護範囲内に入るものとする。
【００７３】
第1実施形態
本発明の第1実施形態は、同一チャネルセル干渉を処理するためのシステムを提案する。図1に示されるように、システムはネットワークデバイス及びUEを含む。
【００７４】
ネットワークデバイスは、基地局（英語：Base  Station、略して、BS）、アクセスポイント（英語：Access  Point、略して、AP）、遠隔無線機器（英語：Remote  Radio  Equipment、略して、RRE）、遠隔無線ヘッド（英語：Remote  Radio  Head、略して、RRH）、遠隔無線ユニット（英語：Remote  Radio  Unit、略して、RRU）、リレーノード（英語：Relay  node）等として実施されてもよい。ネットワークデバイスとセルとの間の関係は限定されず、この場合、1つのネットワークデバイスが1つ以上のセルに対応してもよく、又は、1つのセルが1つ以上のネットワークデバイスに対応してもよい。ネットワークデバイスの送信動作又は受信動作がネットワークデバイスの直接的な作用であってもよく、又は、ネットワークデバイスは、送信動作又は受信動作を間接的に行うために有線態様又は無線態様でネットワークデバイスに接続されるデバイスを制御してもよい。
【００７５】
図1に示されるシステム内の各ネットワークデバイス（例えば、図1に示される基地局など）は、非サービングセルのネットワークデバイス又はサービングセルのネットワークデバイスへと分類されてもよい。非サービングセルのネットワークデバイスは、ネットワークデバイスが所定のセルを直接にサーブしないことを意味する。サービングセルのネットワークデバイスは、ネットワークデバイスが所定のセルを直接にサーブすることを意味する。1つのネットワークデバイスが同時に複数のセルをサーブしてもよい。サービングセルとは、UEを現在サーブしているセルのことであり、同様に、非サービングセルとは、UEを現在サーブしていないセルのことである。1つのUEが少なくとも1つの非サービングセルを有してもよい。図1に示されるシステムアーキテクチャでは、セル（英語：cell）1がUE1をサーブし、基地局1がセル1〜セル3をサーブし、また、基地局2がセル4及びセル5をサーブする。UE1  に関しては、セル1がUE1のサービングセルであり、基地局1がセル1〜セル3のサービング基地局であり、基地局2がセル1の非サービングセル基地局であり、セル2〜セル5がUE1の非サービングセルである。
【００７６】
本発明の第1実施形態で提案される技術的な解決策では、詳細な説明のため、サービングセル内のUEに対して非サービングセルにより引き起こされる同一チャネル干渉が一例として使用される。ネットワークデバイスは、非サービングセルの干渉情報を取得し、取得した非サービングセルの干渉情報をUEに送信する。ネットワークデバイスによりUEに送信される干渉情報は、ネットワークデバイスにより取得される干渉情報の全部又は一部であってもよい。部分的な干渉情報の場合、UEは、ブラインド検出を用いて他の干渉情報を学習する必要がある。
【００７７】
本発明の第1実施形態で提案される技術的な解決策は、UEに対して対を成すUEによりもたらされる同一チャネル干渉に更に適用されてもよく、その場合、対を成すUE及びUEは同じサービングセル内に位置される。特定の実施において、サービングセルのネットワークデバイスは、対を成すUEの干渉情報の全部又は一部を取得し、取得した対を成すUEの干渉情報の全部又は一部をUEに送信し、また、UEは、受信した干渉情報にしたがって、UEと同じサービングセル内に位置される対を成すUEによりもたらされる同一チャネル干渉を処理する。この場合の特定の処理態様は、UEがサービングセル内でUEに対して非サービングセルにより引き起こされる同一チャネル干渉を処理する態様と同じである。以下は、UEがサービングセル内でUEに対して非サービングセルにより引き起こされる同一チャネル干渉を処理する例を使用することによって詳細な説明を与える。
【００７８】
UEが現在位置されるサービングセルに関して、ネットワークデバイスは、非サービングセルの干渉情報を取得し、取得した干渉情報と非サービングセルのセル識別子との間の対応を維持する。セル識別子は、物理セル識別子（英語：Physical  Cell  Identity、略して、物理セルID）又は仮想セル識別子（英語：Virtual  Cell  Identity、略して、仮想セルID）を含む。ネットワークデバイスは、干渉情報と非サービングセルのセル識別子との間の維持された対応において、非サービングセルのセル識別子及び非サービングセルの干渉情報を決定して、非サービングセルのセル識別子を生成パラメータとしてUEに送信する。
【００７９】
UEは、ネットワークデバイスにより送信される受信した生成パラメータにしたがって非サービングセルのユーザ端末固有基準信号配列を決定してユーザ端末固有基準信号配列にしたがって非サービングセルのダウンリンク送信チャネルに関してチャネル推定を行うとともに、得られたチャネル推定値にしたがって、サービングセルのダウンリンク送信信号に対して非サービングセルのダウンリンク送信信号によりもたらされる同一チャネル干渉を処理する。
【００８０】
UEが現在位置されるサービングセルにおいて、干渉情報とは、ダウンリンク送信チャネルを復調するために使用される全ての情報のことであり、非サービングセルをサーブするネットワークデバイスによってネットワークデバイスがサーブするセル内のUEに送信される。UEが現在位置されるサービングセルに関しては、UEと同じサービングセル及び同じチャネルに位置される他のUEにおいて、干渉情報とは、ダウンリンク送信チャネルを復調するために使用される全ての情報のことであり、サービングセルをサーブするネットワークデバイスによってUEと同じチャネルに位置される他のUEに送信される。
【００８１】
ダウンリンク送信チャネルとしては、物理ダウンリンク共有チャネル（英語：Physical  Downlink  Shared  Channel、略して、PDSCH）、物理放送チャネル（英語：Physical  Broadcast  Channel、略して、PBCH）、物理マルチキャストチャネル（英語：Physical  Multicast  Channel、略して、PMCH）、物理制御フォーマットインジケータチャネル（英語：Physical  Control  Format  Indicator  Channel、略して、PCFICH）、物理ダウンリンク制御チャネル（英語：Physical  Downlink  Control  Channel、略して、PDCCH）、物理ハイブリッドARQインジケータチャネル（英語：Physical  Hybrid  ARQ  Indicator  Channel、略して、PHICH）、エンハンスト物理ダウンリンク制御チャネル（英語：Enhanced  Physical  Downlink  Control  Channel、略して、EPDCCH）等が挙げられる。例えば、UEが現在位置されるサービングセルに関して、干渉情報は、以下、すなわち、非サービングセルの物理セル識別子、非サービングセルの仮想セル識別子、ユーザ端末固有基準信号配列の初期化パラメータを生成するために非サービングセルで使用される生成パラメータ、ユーザ端末固有基準信号配列を送信するために非サービングセルで使用されるアンテナポートに関する情報、チャネル状態情報基準信号（英語：Channel-State  Information  Reference  Signals、略して、CSI-RS）配列の初期化パラメータを生成するために非サービングセルで使用される生成パラメータ、CSI-RSを送信するために非サービングセルで使用されるアンテナポートの量、CSI-RSを送信するために非サービングセルで使用されるCSI-RS形態、CSI-RSを送信するために非サービングセルで使用されるCSI-RSサブフレーム形態、非サービングセルのPDSCHスケジュールドリソース位置、非サービングセルのEPDCCHスケジュールドリソース位置、非サービングセルのPDSCHによって使用される変調及び符号化スキーム（英語：Modulation  And  C
oding  Scheme、略して、MCS）、非サービングセルのPDSCHによって使用されるランク（英語：RANK）、ユーザ端末固有基準信号配列復調チャネルに基づく送信モードが非サービングセルで使用されるPRBに関する情報、ユーザ端末固有基準信号配列を送信するために非サービングセルで使用されるアンテナポートに関する情報、非サービングセルの物理リソースブロック（PRB）バンドリング情報、非サービングセルのパイロットデータ出力比情報等のうちの少なくとも1つを含む。この情報は、非サービングセル内のUEのための干渉情報である。UEに関して、ネットワークデバイスは、取得した干渉情報の全部又は一部を異なる態様でUEへ送ってもよく、その場合、ネットワークデバイスは、サービングセルをサーブするネットワークデバイスであってもよく、又は、非サービングセルをサーブするネットワークデバイスであってもよい。本発明の第1実施形態では、干渉情報をUEに送信するネットワークデバイスが、UEが現在位置されるサービングセルをサーブするネットワークデバイスである、という例を使用することによって詳細が説明され、また、干渉情報は、生成パラメータ、ユーザ端末固有基準信号配列復調チャネルに基づく送信モードが非サービングセルで使用されるPRBに関する情報、ユーザ端末固有基準信号配列を送信するために非サービングセルで使用されるアンテナポートに関する情報、非サービングセルの物理リソースブロック（PRB）バンドリング情報、非サービングセルのパイロットデータ出力比情報等のうちの1つ以上を含む。
【００８２】
干渉情報は比較的多量のコンテンツを含むため、UEが現在位置されるサービングセルをサーブするネットワークデバイスは、干渉情報の一部又は全部をUEへ送ってもよい。UEは、受信した干渉情報の一部又は全部にしたがって非サービングセルのダウンリンク送信チャネルに関してチャネル推定を行って、ブラインド検出を用いてUEにおける他の干渉情報を取得した後、取得した干渉情報と得られたチャネル推定値とにしたがって、サービングセルのダウンリンク送信信号に対して非サービングセルのダウンリンク送信信号によりもたらされる同一チャネル干渉を処理してもよい。以下では、別の説明が与えられる。
【００８３】
第1の態様では、ネットワークデバイスが干渉情報を取得し、この場合、干渉情報が生成パラメータを含み、また、ネットワークデバイスは、取得した干渉情報をUEに送信する。
【００８４】
この態様では、ネットワークデバイスによりUEに送信される干渉情報が生成パラメータを含み、その場合、生成パラメータは、非サービングセルのユーザ端末固有基準信号配列の初期化パラメータを決定するためにUEによって使用されるパラメータ値である。ユーザ端末固有基準信号配列の生成は、生成パラメータと関連付けられる。生成パラメータは、非サービングセルの物理セル識別子又は仮想セル識別子であってもよい。
【００８５】
サービングセルをサーブするネットワークデバイスは、インタフェースを介して、非サービングセルをサーブするネットワークデバイスと情報をやりとりして、非サービングセルをサーブするネットワークデバイスにより送信される非サービングセルの生成パラメータを取得する。
【００８６】
UEは、ネットワークデバイスにより送信されて生成パラメータを含む非サービングセルの干渉情報を受信し、受信した生成パラメータにしたがって、非サービングセルのユーザ端末固有基準信号配列を計算するために使用される初期化パラメータを決定するとともに、決定された初期化パラメータにしたがって非サービングセルのユーザ端末固有基準信号配列を決定する。UEは、サービングセルの現在スケジューリングされる時間−周波数リソースの位置で、予め設定された物理リソースブロックバンドリング（英語：Physical  Resource  Block  bundling、略して、PRB  bundling）情報に基づき、非サービングセルの物理リソースブロック（英語：Physical  Resource  Block、略して、PRB）に関してブラインド検出を行うとともに、ユーザ端末固有基準信号配列復調チャネルに基づく送信モードが非サービングセルで使用されるPRBに関する情報を取得する。本発明のこの実施形態で提案される技術的な解決策では、ユーザ端末固有基準信号がDM-RSに相当し、また、説明を容易にするために、ユーザ端末固有基準信号配列復調チャネルに基づく送信モードを表すためにDM-RSベースが使用されてもよい。取得したユーザ端末固有基準信号配列復調チャネルに基づく送信モードが非サービングセルで使用されるPRBに関する情報においては、ユーザ端末固有基準信号配列を送信するために非サービングセルで使用されるPRB情報に対応する各PRBにおいて、アンテナポートに関する情報が決定される。アンテナポート情報に対応するアンテナポートにあるとともにダウンリンク送信チャネルで送信される基準信号を復調するために使用される復調パイロットシーケンスが、ユーザ端末固有基準信号配列を送信するために非サービングセルで使用されるアンテナポートに関する決定された情報にしたがって取得される。ブラインド検出は、予め設定されたPRBバンドリング情報に基づいて、対応するアンテナポートにおいて取得される復調パイロットシーケンスにしたがって行われ、また、非サービングセルのダウンリンク送信チャネルに関してチャネル推定が行われる。サービングセルのダウンリンク送信信号に対して非サービングセルのダウンリンク送信信号によりもたらされる同一チャネル干渉は、得られたチャネル推定値と非サービングセルの設定パイロットデータ出力比情報とにしたがって抑制又はキャンセルされる。予め設定されたPRBバンドリング情報は、所定量のPRBのPRBバンドリング、例えば1  PRBバンドリングであってもよく、又は、受信した干渉情報からUEにより取得される非サービングセルのPRBバンドリング情報であってもよい。UEは、PRBバンドリング情報にしたがって、同じプリコーディングを伴って適用されるPRBを前提としてもよく、また、チャネル推定を行うためにPRBが組み合わされてもよいか否かを更に決定してもよい。非サービングセルの設定パイロットデータ出力比情報は、固定値、例えば1であってもよく、又は、受信した干渉情報からUEにより取得される非サービングセルのパイロットデータ出力比情報であってもよい。サービングセルのダウンリンク送信信号に対して非サービングセルのダウンリンク送信信号によりもたらされる同一チャネル干渉を抑制又はキャンセルするための方法は、非サービングセルのユーザ端末固有基準信号に関��て推定、キャンセル等を行うことを含む。
【００８７】
ネットワークデバイスが基地局であってもよい。サービングセルをサーブする基地局がサービング基地局と称されてもよく、また、非サービングセルをサーブする基地局が非サービングセル基地局と称されてもよく、以下、これらを略して、サービング基地局及び非サービングセル基地局と称する。
【００８８】
サービング基地局及び非サービングセル基地局は、X2インタフェース、S1インタフェース、又は、他のインタフェースを介して互いに情報をやりとりしてもよく、また、サービング基地局は、非サービングセル基地局により送信される干渉情報を取得する。例えば、サービング基地局は、非サービングセル基地局により送信されて非サービングセルの物理セル識別子又は仮想セル識別子を含む干渉情報を取得し、また、サービング基地局は、取得した非サービングセルの干渉情報を維持する。サービング基地局は、無線リソース制御（英語：Radio  Resource  Control、略して、RRC）シグナリング又はダウンリンク制御情報（英語：Downlink  Control  Information、略して、DCI）を使用することによって、取得した非サービングセルの干渉情報をUEに送信する。
【００８９】
具体的には、第1の態様では、サービング基地局により維持される非サービングセルの干渉情報が生成パイロットである例を使用することによって詳細が説明される。生成パラメータは、非サービングセルの物理セル識別子又は仮想セル識別子であってもよい。特定の実施において、サービング基地局は、非サービングセルの物理セル識別子のみを維持してもよく、又は、非サービングセルの仮想セル識別子のみを維持してもよく、又は、非サービングセルの物理セル識別子及び仮想セル識別子の両方を維持してもよい。表1は、非サービングセルの維持された物理セル識別子及び仮想セル識別子を示す。
【００９０】
【表１】
2016528816.tif 000003
【００９１】
先の表1において、物理IDは非サービングセルの物理セル識別子を表し、DM-RS-IDは物理セル識別子に対応する仮想セル識別子を表す。表1中の「xx」は0〜503の範囲の値を表す。表1中の「mm」は0〜503の範囲の値を表す。
【００９２】
UEは、サービング基地局により送信されて生成パラメータを含む非サービングセルの干渉情報を受信し、受信した生成パラメータにしたがって、非サービングセルのユーザ端末固有基準情報シーケンスを計算するために使用される初期化パラメータを決定するとともに、決定された初期化パラメータにしたがって非サービングセルのユーザ端末固有基準信号配列を決定する。具体的には、サービングセルのダウンリンク送信信号に対して非サービングセルのダウンリンク送信信号によりもたらされる同一チャネル干渉を、UEが受信した生成パラメータにしたがって抑制又はキャンセルする特定の実施態様に関しては、先の詳細な説明を参照されたい。ここでは再び詳細について説明しない。
【００９３】
第2の態様では、前述した第1の態様に基づき、非サービングセルの干渉情報は、ユーザ端末固有基準信号配列復調チャネルに基づく送信モードが非サービングセルで使用されるPRBに関する情報を更に含んでもよい。ネットワークデバイスは、ユーザ端末固有基準信号配列復調チャネルに基づく送信モードが非サービングセルで使用されるPRBに関する情報を取得し、取得したユーザ端末固有基準信号配列復調チャネルに基づく送信モードが非サービングセルで使用されるPRBに関する情報をUEに送信する。
【００９４】
ユーザ端末固有基準信号配列復調チャネルに基づく送信モードは、送信モード（英語：Transmission  Mode、略して、TM）7、TM8、TM9、TM10等であってもよい。
【００９５】
ネットワークデバイスは、取得した干渉情報をUEに送信し、この場合、ネットワークデバイスによりUEに送信される非サービングセルの干渉情報は、生成パラメータと、ユーザ端末固有基準信号配列復調チャネルに基づく送信モードが非サービングセルで使用されるPRBに関する情報とを含む。ユーザ端末固有基準信号配列の生成は、生成パラメータと関連付けられる。生成パラメータは、非サービングセルのユーザ端末固有基準信号配列の初期化パラメータを決定するためにUEにより使用されるパラメータ値である。生成パラメータは、非サービングセルの物理セル識別子又は仮想セル識別子を含んでもよい。
【００９６】
サービングセルをサーブするネットワークデバイスは、インタフェースを介して、非サービングセルをサーブするネットワークデバイスと情報をやりとりして、非サービングセルをサーブするネットワークデバイスにより送信される非サービングセルの干渉情報を取得する。ネットワークデバイスは、取得した非サービングセルの干渉情報を維持し、また、ネットワークデバイスは、取得した干渉情報をUEに送信し、取得した干渉情報は、生成パラメータと、ユーザ端末固有基準信号配列復調チャネルに基づく送信モードが非サービングセルで使用されるPRBに関する情報とを含む。
【００９７】
UEは、ネットワークデバイスにより送信されて生成パラメータを含む非サービングセルの干渉情報を受信し、受信した生成パラメータにしたがって、非サービングセルのユーザ端末固有基準信号配列を計算するために使用される初期化パラメータを決定するとともに、決定された初期化パラメータにしたがって非サービングセルのユーザ端末固有基準信号配列を決定する。UEは、ユーザ端末固有基準信号配列復調チャネルに基づく送信モードが非サービングセルで使用されるPRBに関する決定された情報にしたがって、サービングセルの現在スケジューリングされる時間−周波数リソースの位置で非サービングセルにおいてDMRS-basedの送信モードが使用されるか否かを決定する。決定の結果が正の場合、UEは、サービングセルの現在スケジューリングされる時間−周波数リソースの位置で、予め設定されたPRBバンドリング情報に基づき、ユーザ端末固有基準信号配列復調チャネルに基づく送信モードが非サービングセルで使用されるPRBに関する情報に対応するPRBに関してブラインド検出を行って、決定されたユーザ端末固有基準信号配列を送信するために非サービングセルで使用される各PRBにおけるアンテナポートを決定し、決定されたユーザ端末固有基準信号配列を送信するために非サービングセルで使用される決定されたアンテナポートにしたがって、対応するアンテナポートにあってダウンリンク送信チャネルで送信される基準信号を復調するために使用される復調パイロットシーケンスを取得するとともに、取得した復調パイロットシーケンスにしたがって、予め設定されたPRBバンドリング情報に基づき、非サービングセルのダウンリンク送信チャネルに関してチャネル推定を行う。UEは、得られたチャネル推定値と非サービングセルの設定パイロットデータ出力比情報とにしたがって、サービングセルのダウンリンク送信信号に対して非サービングセルのダウンリンク送信信号によりもたらされる同一チャネル干渉を抑制又はキャンセルする。決定の結果が非である場合、それは、サービングセルの現在スケジューリングされる時間−周波数リソースの位置においてDMRS-basedの送信モードが非サービングセルで使用されず、本発明の第1実施形態で提案される第2の態様が使用されないことを示す。予め設定されたPRBバンドリング情報及び非サービングセルの設定パイロットデータ出力比情報に関しては、前述の第1の態様における詳細な説明を参照されたい。ここでは再び詳細について説明しない。
【００９８】
具体的には、詳細は、ネットワークデバイスが基地局である例を依然として使用することによって説明される。サービング基地局及び非サービングセル基地局は、X2インタフェース、S1インタフェース、又は、他のインタフェースを介して、互いに情報をやりとりしてもよい。サービング基地局は、非サービングセル基地局により送信される非サービングセルの物理セル識別子又は仮想セル識別子を取得するとともに、ユーザ端末固有基準信号配列復調チャネル（DMRS-basedの送信モードによって説明されてもよい）に基づく送信モードが使用される非サービングセルのPRBに関する非サービングセル基地局により送信される情報を取得する。すなわち、このサブフレームでは、DMRS-basedの送信モードが非サービングセルで使用されるサービング基地局は、取得した非サービングセルの物理識別子又は仮想セル識別子とDMRS-basedの送信モードが非サービングセルで使用されるサブフレームとの間の対応を維持する。サービング基地局は、RRCシグナリング又はDCIを使用することにより、取得した非サービングセルの干渉情報をUEに送信する。具体的には、サービングセルにより維持される非サービングセルの干渉情報に関しては、特に以下の表2が参照されてもよい。
【００９９】
【表２】
2016528816.tif 000004
【０１００】
先の表2では、実施態様が与えられる。サービング基地局により維持される干渉情報は、物理セル識別子、仮想セル識別子、及び、ユーザ端末固有基準信号配列復調チャネルに基づく送信モードが非サービングセルで使用されるPRBに関する情報を含む。物理IDは非サービングセルの物理セル識別子を表し、また、DMRS-IDは、物理セル識別子に対応する仮想セル識別子を表す。DMRS-basedの送信モードが非サービングセルで使用されるPRBに関する情報は、「DMRS-based  Subframe」を使用することによって説明されてもよい。表2中の「xx」は0〜503の範囲の値を表す。「mm」は0〜503の範囲の値を表す。yの値は0又は1であり、また、［yyyyy  yyyyy］は、非サービングセルがDMRS-basedの送信モードを使用するサブフレームを表す。例えば、［00000  11111］は、サブフレーム5〜9においてDMRS-basedの送信モードが非サービングセルで使用されることを表す。特定の実施では、サービング基地局により維持される干渉情報が変更されてもよい。例えば、物理セル識別子、及び、ユーザ端末固有基準信号配列復調チャネルに基づく送信モードが非サービングセルで使用されるPRBに関する情報のみが維持されるか、又は、仮想セル識別子、及び、ユーザ端末固有基準信号配列復調チャネルに基づく送信モードが非サービングセルで使用されるPRBに関する情報が維持される。
【０１０１】
UEは、サービング基地局により送信される受信した干渉情報にしたがって、及び、受信した生成パラメータにしたがって、非サービングセルのユーザ固有基準情報シーケンスを計算するために使用される初期化パラメータを決定するとともに、決定された初期化パラメータにしたがって非サービングセルのユーザ端末固有基準信号配列を決定する。具体的には、受信した生成パラメータとユーザ端末固有基準信号配列復調チャネルに基づく送信モードが非サービングセルで使用されるPRBに関する情報とにしたがってサービングセルのダウンリンク送信信号に対して非サービングセルのダウンリンク送信信号によりもたらされる同一チャネル干渉をUEが抑制する又はキャンセルする特定の実施態様は、前述の詳細な説明を参照する。ここでは再び詳細について説明しない。
【０１０２】
前述の第1の態様とは対照的に、前述の第2の態様では、サービングセルに対して非サービングセルの干渉情報により引き起こされる同一チャネル干渉をUEが抑制又はキャンセルする際、ネットワークデバイスによりUEに送信される干渉情報は、生成パラメータと、ユーザ端末固有基準信号配列復調チャネルに基づく送信モードが非サービングセルで使用されるリソースに関する情報とを含む。第1の態様と比べると、UEは、ブラインド検出を用いて、ユーザ端末固有基準信号配列復調チャネルに基づく送信モードが非サービングセルで使用されるリソースに関する情報を取得する必要がなく、代わりに、ネットワークデバイスは、ユーザ端末固有基準信号配列復調チャネルに基づく送信モードが非サービングセルで使用されるリソースに関する情報をUEに知らせる。したがって、UEにより行われるブラインド検出によりもたらされるエラーがかなり減少され、また、サービングセルのダウンリンク送信信号に対して非サービングセルのダウンリンク送信信号によりもたらされる同一チャネル干渉をUEにより処理する精度が更に向上され、それにより、ダウンリンクチャネルを復調する際のUEの性能が向上される。
【０１０３】
第3の態様では、前述した第1又は第2の態様に関連して、非サービングセルの干渉情報は、ユーザ端末固有基準信号配列を送信するために非サービングセルで使用されるアンテナポートに関する情報を更に含んでもよい。ネットワークデバイスは、ユーザ端末固有基準信号配列を送信するために非サービングセルで使用されるアンテナポートに関する情報を取得し、アンテナポートに関する情報をUEに送信する。
【０１０４】
前述の第1の態様に関連して、ネットワークデバイスによりUEに送信される非サービングセルの干渉情報は、生成パラメータと、ユーザ端末固有基準信号配列を送信するために非サービングセルで使用されるアンテナポートに関する情報とを含む。前述の第2の態様に関連して、ネットワークデバイスによりUEに送信される非サービングセルの干渉情報は、生成パラメータ、ユーザ端末固有基準信号配列復調チャネルに基づく送信モードが非サービングセルで使用されるPRBに関する情報、及び、ユーザ端末固有基準信号配列を送信するために非サービングセルで使用されるアンテナポートに関する情報を含む。以下では、別の説明が与えられる。
【０１０５】
サービングセルをサーブするネットワークデバイスは、インタフェースを介して、非サービングセルをサーブするネットワークデバイスと情報をやりとりして、非サービングセルをサーブするネットワークデバイスにより送信される非サービングセルの干渉情報を取得する。前述の第1の態様に関連して、ネットワークデバイスは、取得した非サービングセルの干渉情報を維持し、また、ネットワークデバイスは、取得した干渉情報をUEに送信し、取得した干渉情報は、生成パラメータと、ユーザ端末固有基準信号配列を送信するために非サービングセルで使用されるアンテナポートに関する情報とを含む。前述の第2の態様に関連して、取得した干渉情報がUEに送信され、取得した干渉情報は、生成パラメータ、ユーザ端末固有基準信号配列復調チャネルに基づく送信モードが非サービングセルで使用されるPRBに関する情報、及び、ユーザ端末固有基準信号配列を送信するために非サービングセルで使用されるアンテナポートに関する情報を含む。
【０１０６】
第1に、UEは、ネットワークデバイスにより送信されて生成パラメータを含む非サービングセルの干渉情報を受信し、受信した生成パラメータにしたがって、非サービングセルのユーザ端末固有基準信号配列を計算するために使用される初期化パラメータを決定するとともに、決定された初期化パラメータにしたがって非サービングセルのユーザ端末固有基準信号配列を決定する。
【０１０７】
第2に、UEは、ユーザ端末固有基準信号配列復調チャネルに基づく送信モードが非サービングセルで使用されるPRBに関する情報を取得する。ステップが2つの実施態様で行われてもよい。
【０１０８】
第1の実施態様では、前述の第1の態様に関連して、サービングセルの現在スケジューリングされる時間−周波数リソースの位置で、予め設定されたPRBバンドリング情報に基づいて非サービングセルのPRBに関してブラインド検出が行われ、また、ユーザ端末固有基準信号配列復調チャネルに基づく送信モードが非サービングセルで使用されるPRBに関する情報がブラインド検出を用いて取得される。
【０１０９】
第2の実施態様では、前述の第2の態様に関連して、UEにより受信される干渉情報は、ユーザ端末固有基準信号配列復調チャネルに基づく送信モードが非サービングセルで使用されるPRBに関する情報を含み、したがって、UEは、干渉情報を学習するためにブラインド検出を行う必要がない。
【０１１０】
ユーザ端末固有基準信号配列復調チャネルに基づく送信モードが非サービングセルで使用されるPRBに関する情報を取得した後、UEは、ネットワークデバイスにより送信される受信したアンテナポートに関する情報から、ユーザ端末固有基準信号配列復調チャネルに基づく送信モードが非サービングセルで使用されるPRBに関する情報に対応する各PRBにおける決定されたユーザ端末固有基準信号配列を送信するために非サービングセルで使用されるアンテナポートを決定し、ユーザ端末固有基準信号配列を送信するために非サービングセルで使用される決定されたアンテナポートにしたがって、対応するアンテナポートにあってダウンリンク送信チャネルで送信される基準信号を復調するために使用される復調パイロットシーケンスを取得する。UEは、取得した復調パイロットシーケンスにしたがって、予め設定されたPRBバンドリング情報に基づき、非サービングセルのダウンリンク送信チャネルに関してチャネル推定を行う。UEは、得られたチャネル推定値と非サービングセルの設定パイロットデータ出力比情報とにしたがって、サービングセルのダウンリンク送信信号に対して非サービングセルのダウンリンク送信信号によりもたらされる同一チャネル干渉を抑制又はキャンセルする。予め設定されたPRBバンドリング情報及び非サービングセルの設定パイロットデータ出力比情報に関しては、前述の第1の態様における詳細な説明を参照されたい。ここでは再び詳細について説明しない。
【０１１１】
具体的には、詳細は、ネットワークデバイスが基地局である例を依然として使用することによって説明される。サービング基地局及び非サービングセル基地局は、X2インタフェース、S1インタフェース、又は、他のインタフェースを介して、互いに情報をやりとりしてもよい。詳細は、非サービングセル基地局により送信される非サービングセルの物理セル識別子又は仮想セル識別子をサービング基地局が取得するとともに、ユーザ端末固有基準信号配列を送信するために非サービングセルで使用されるアンテナポート（「DMRS  port」を使用することにより説明されてもよい）に関する情報をサービング基地局が取得する例を使用することによって説明される。サービング基地局は、取得した非サービングセルの物理識別子又は仮想セル識別子とユーザ端末固有基準信号配列を送信するために非サービングセルで使用されるアンテナポートに関する情報との間の対応を維持する。サービング基地局は、RRCシグナリング又はDCIを使用することにより、取得した非サービングセルの干渉情報をUEに送信する。具体的には、サービングセルにより維持される非サービングセルの干渉情報に関しては、特に以下の表3が参照されてもよい。
【０１１２】
【表３】
2016528816.tif 000005
【０１１３】
先の表3において、物理IDは非サービングセルの物理セル識別子を表し、また、DMRS-IDは、物理セル識別子に対応する仮想セル識別子を表す。ユーザ端末固有基準信号配列を送信するために非サービングセルで使用されるアンテナポートに関する情報は、「DMRS  port」を使用することによって説明されてもよい。表3において、「xx」は0〜503の範囲の値を表し、「mm」は0〜503の範囲の値を表し、「ポート」は、ユーザ端末固有基準信号配列を送信するために使用されるアンテナポートを表し、及び、「Nscid」はスクランブルコードIDマッピング指示を表す。
【０１１４】
UEは、サービング基地局により送信される受信した干渉情報にしたがって、及び、受信した生成パラメータにしたがって、非サービングセルのユーザ固有基準情報シーケンスを計算するために使用される初期化パラメータを決定するとともに、決定された初期化パラメータにしたがって非サービングセルのユーザ端末固有基準信号配列を決定する。具体的には、サービングセルのダウンリンク送信信号に対して非サービングセルのダウンリンク送信信号によりもたらされる同一チャネル干渉を、UEが受信した干渉情報にしたがって抑制又はキャンセルする特定の実施態様に関しては、先の詳細な説明を参照されたい。ここでは再び詳細について説明しない。
【０１１５】
前述の第1の態様とは対照的に、前述の第3の態様では、サービングセルに対して非サービングセルの干渉情報により引き起こされる同一チャネル干渉をUEが抑制又はキャンセルする際、ネットワークデバイスによりUEに送信される干渉情報は、設定パラメータと、ユーザ端末固有基準信号配列を送信するために非サービングセルで使用されるリソースに関する情報とを含む。UEは、ユーザ端末固有基準信号配列を送信するべく非サービングセルで使用されるアンテナポートに関する情報を取得するためにブラインド検出を行う必要がなく、したがって、ブラインド検出によりもたらされるエラーがかなり回避される。
【０１１６】
UEが非サービングセルからの同一チャネル干渉を抑制又はキャンセルする際、処理効果は、非サービングセルのダウンリンク送信チャネルに関してUEにより行われるチャネル推定の推定精度に依存する。比較的高い性能利得を得るために、ユーザ端末固有基準信号配列に基づくPDSCH送信が非サービングセルで使用される状況に起因して、UEが非サービングセルのダウンリンク送信チャネルに関して推定を行うときに、UEがPRBバンドリング情報を学習できれば、非サービングセルのダウンリンク送信チャネルに関してUEにより行われる推定の精度を更に向上させることができ、それにより、同一チャネル干渉を抑制又はキャンセルする際に更に良好な効果が得られる。しかしながら、既存のプロトコルは、主に以下の第1の理由又は第2の理由に起因して、そのような前提をサポートすることができない。
【０１１７】
第1の理由：EPDCCHの存在は、既存のプロトコルにおいて非サービングセルのチャネル推定のためのPRBバンドリングのブロック検出を行うことを不可能にする。
【０１１８】
EPDCCHはリソーススケジューリング中に離散的であり、そのため、PDSCHで送信されるデータの連続性が損なわれる。図2に示されるように、非サービングセルのPRBバンドリングのサイズが3PRBであれば、EPDCCHが4番目のPRBを占めるときに、UEは、3-PRBバンドリングの前提に基づき、その識別子が0，1，2である一群のPRBに関して、及び、その識別子が6，7，8である一群のPRBに関して、ブラインド検出を別々に行うことができるが、3-PRBバンドリングの前提に基づき、その識別子が3，4，5である一群のPRBに関してブラインド検出を行うことができず、そうでなければ、その識別子が3，4，5である一群のPRBに関するチャネル推定が誤っており、それにより、性能損失が引き起こされる。
【０１１９】
第2の理由：非サービングセルのリソーススケジューリング態様は、既存のプロトコルがPRBバンドリングの前提に基づく非サービングセルのためのチャネル推定をサポートすることができないという結果になる。
【０１２０】
図3に示されるようなユーザ端末固有基準信号配列に基づいて送信されるPDSCHに関しては、2つのリソース割り当て態様が存在する。すなわち、1つは、基地局が常に3つの連続するPRBを1つのUEに対して割り当てることによってリソース割り当てを行うType  0のリソース割り当て態様であり、他の1つは、基地局がリソースを不連続に割り当てるType  1のリソース割り当て態様である。図3に示されるように、2つのリソース割り当て態様の概略図が与えられる。10M帯域幅の例では、基地局がType  0態様でリソースをスケジューリングすれば、UEが3-PRBバンドリングの前提を成してもよく、また、基地局がType  1態様でリソースをスケジューリングすれば、UEが3-PRBバンドリングの前提を成すことができないのが分かり得る。
【０１２１】
UEが非サービングセルのダウンリンク送信チャネルに関してチャネル推定を行うときに、PRBバンドリング情報は、チャネル推定結果の精度に影響を及ぼす。例えば、3つのPRBがそれぞれ同じプリコーディングを伴って適用されると、3つのPRBに基づくチャネル推定の精度は、1つのPRBに基づくチャネル推定の精度よりも高い。各PRB及び隣接するPRBが異なる態様でプリコーティングされれば、このケースでは、複数のPRBに基づいてチャネル推定が行われれば、得られるチャネル推定値は不正確であり、したがって、基地局がType  1態様でリソースをスケジューリングすれば、1つのPRBのみに基づいてチャネル推定を行うことができる。
【０１２２】
しかしながら、前述の3つの態様では、ネットワークデバイスにより送信される干渉情報の一部を受信した後、UEは、予め設定されたPRBバンドリング情報に基づいて非サービングセルのPRBに関してブラインド検出を行う必要があり、また、予め設定されたPRBバンドリング情報は、チャネル推定が行われるときにも使用される。これを考慮して、更に、ネットワークデバイスは、シグナリングを使用することによって予め設定されたPRBバンドリング情報をUEに知らせてもよく、また、前述の3つの態様のいずれか1つに基づいて、ネットワークデバイスは、以下の4番目の態様でUEに対して干渉情報を更に送ってもよい。
【０１２３】
4番目の態様において、非サービングセルの干渉情報は、非サービングセルのPRBバンドリング情報を更に含んでもよい。ネットワークデバイスは、非サービングセルのPRBバンドリング情報を取得するとともに、取得した非サービングセルのPRBバンドリング情報をUEに送信する。
【０１２４】
前述の第1の態様に関連して、ネットワークデバイスによりUEに送信される非サービングセルの干渉情報は、生成パラメータと、非サービングセルのPRBバンドリング情報とを含む。前述の第2の態様に関連して、ネットワークデバイスによりUEに送信される非サービングセルの干渉情報は、生成パラメータ、ユーザ端末固有基準信号配列を送信するために非サービングセルで使用されるアンテナポートに関する情報、及び、非サービングセルのPRBバンドリング情報を含む。前述の第3の態様に関連して、ネットワークデバイスによりUEに送信される非サービングセルの干渉情報は、生成パラメータ、ユーザ端末固有基準信号配列復調チャネルに基づく送信モードが非サービングセルで使用されるPRBに関する情報、ユーザ端末固有基準信号配列を送信するために非サービングセルで使用されるアンテナポートに関する情報、及び、非サービングセルのPRBバンドリング情報を含む。以下では、別の説明が与えられる。
【０１２５】
サービングセルをサーブするネットワークデバイスは、インタフェースを介して、非サービングセルをサーブするネットワークデバイスと情報をやりとりして、非サービングセルをサーブするネットワークデバイスにより送信される非サービングセルの干渉情報を取得する。ネットワークデバイスは、取得した生成パラメータ及び非サービングセルのPRBバンドリング情報を維持するとともに、生成パラメータと非サービングセルのPRBバンドリング情報とを含む取得した干渉情報をUEに送信する。
【０１２６】
ネットワークデバイスが非サービングセルの干渉情報をUEに送信する態様は、以下のうちの少なくとも1つを含む。
【０１２７】
A：ネットワークデバイスは、DCI又はRRCシグナリングを使用することによって、PRBバンドリング情報を非サービングセルで使用可能か否かをUEに指示するために使用される指示メッセージを送信する。
【０１２８】
B：ネットワークデバイスは、DCI又はRRCシグナリングを使用することによって、設定された期間内において非サービングセルの特定の時間領域リソースでPRBバンドリング情報を使用可能であることをUEに知らせるために使用される通知メッセージを送信する。
【０１２９】
この態様において、現在UEをサーブしているネットワークデバイス及び現在UEをサーブしていないネットワークデバイスは、リソーススケジューリング及び互いとの協調を行ってもよく、また、PRBバンドリング情報を使用可能であることをネットワークデバイスがUEに知らせる場合には、PRBバンドリング情報を特定の時間領域リソースの全てで使用できる。
【０１３０】
C：ネットワークデバイスは、DCI又はRRCシグナリングを使用することによって、非サービングセルの時間−周波数リソースでPRBバンドリング情報を使用可能であることをUEに知らせるために使用される通知メッセージを送信する。
【０１３１】
この態様において、ネットワークデバイスは、通知メッセージを使用することにより、PRBバンドリング情報を使用可能な時間−周波数リソースに関する情報をUEに知らせ、すなわち、それにより、PRBバンドリング情報を使用可能な時間−周波数リソースをUEに知らせる。
【０１３２】
D：ネットワークデバイスは、DCI又はRRCシグナリングを使用することによって、非サービングセルのエンハンスト物理ダウンリンク制御チャネル（EPDCCH）の構成情報をUEに知らせるために使用される通知メッセージを送信し、この場合、UEは、受信した非サービングセルのEPDCCHの構成情報にしたがって、PRBバンドリング情報を非サービングセルで使用可能か否か、すなわち、EPDCCH構成リソースにおいて非サービングセルでPRBバンドリング情報を使用できないかどうかを学習する。
【０１３３】
前述の3つの態様に関連して、UEは、ネットワークデバイスにより送信される受信した干渉情報にしたがって、及び、非サービングセル内で使用するPRBバンドリングの基地局により送信される情報に基づいて、PRBバンドリングを非サービングセルで使用可能なPRBを決定して、非サービングセルのダウンリンク送信チャネルに関して行われるチャネル推定を実施するためにPRBバンドリングを使用可能なPRBに関して検出を行うとともに、得られたチャネル推定値と非サービングセルの設定パイロットデータ出力比情報とにしたがって、サービングセルのダウンリンク送信信号に対して非サービングセルのダウンリンク送信信号によりもたらされる同一チャネル干渉を抑制又はキャンセルしてもよい。非サービングセルの設定パイロットデータ出力比情報は、固定値、例えば1であってもよい。
【０１３４】
具体的には、詳細は、ネットワークデバイスが基地局である例を依然として使用することによって説明される。サービング基地局及び非サービングセル基地局は、X2インタフェース、S1インタフェース、又は、他のインタフェースを介して互いに情報をやりとりしてもよく、また、サービング基地局は、非サービングセル基地局により送信される非サービングセルの物理セル識別子又は仮想セル識別子を取得するとともに、非サービングセルのPRBバンドリング情報を取得する。サービング基地局は、取得した非サービングセルの物理識別子又は仮想セル識別子と非サービングセルのPRBバンドリング情報との間の対応を維持する。サービング基地局は、RRCシグナリング又はDCIを使用することにより、取得した非サービングセルの干渉情報をUEに送信する。サービングセルにより維持される非サービングセルの干渉情報に関しては、特に以下の表4が参照されてもよい。
【０１３５】
【表４】
2016528816.tif 000006
【０１３６】
先の表4において、物理IDは非サービングセルの物理セル識別子を表し、また、DMRS-IDは、物理セル識別子に対応する仮想セル識別子を表す。表4において、「xx」は0〜503の範囲の値を表し、「mm」は0〜503の範囲の値を表し、zの値は0又は1であり、また、［zzzzz  zzzzz］は、非サービングセルのチャネル推定のためにPRBバンドリング情報を使用可能なサブフレームを表す。例えば、［00000  11111］は、サブフレーム5〜9において非サービングセルのチャネル推定のためにPRBバンドリング情報を使用可能であることを表す。
【０１３７】
基地局は、維持された干渉情報をUEへ送ってもよく、この場合、基地局は、以下の態様のうちの少なくとも1つで、維持された干渉情報をUEへ送ってもよい。
【０１３８】
A：基地局は、DCI又はRRCシグナリングを使用することによって、PRBバンドリング情報を非サービングセルでUEにより使用可能か否かを指示するために使用される指示メッセージを送信する。
【０１３９】
例えば、基地局は、非サービングセルの現在のPRBのためにPRBバンドリングをUEにより使用可能か否かを指示する指示メッセージを送信するためにRRCシグナリング又はDCIにおいて1ビットを占める。「0」は、1  PRBバンドリング情報を使用できないことをUEに示すために使用されてもよい。「1」は、非サービングセルのダウンリンク送信チャネルに関してチャネル推定を実施してチャネル推定値を得るために1  PRBバンドリング情報を使用可能であることをUEに示すために使用されてもよい。
【０１４０】
B：基地局は、DCI又はRRCシグナリングを使用することによって、設定された期間内において非サービングセルの特定の時間領域リソースでPRBバンドリング情報を使用可能であることをUEに知らせるために使用される通知メッセージを送信する。
【０１４１】
サービング基地局及び非サービングセル基地局は、合意モードにしたがって互いにスケジューリング及び送信を行ってもよく、RRCシグナリング又はDCIを使用することにより、1つのサブフレームで非サービングセルのPRBバンドリング情報をUEに知らせてもよい。図4に示されるように、基地局がサブフレーム6においてUEをスケジューリングする場合、基地局は、［00000  01000］をUEに知らせてもよく、また、サブフレーム6においてサービングセルのPRBのためにPRBバンドリング情報を使用可能であること、及び、他のサブフレームにおいて非サービングセルのPRBのためにPRBバンドリング情報を使用できないことをUEに知らせてもよい。
【０１４２】
C：基地局は、DCI又はRRCシグナリングを使用することによって、非サービングセルの時間−周波数リソースでPRBバンドリング情報を使用可能であることをUEに知らせるために使用される通知メッセージを送信する。
【０１４３】
この態様において、サービング基地局及び非サービングセル基地局は、相互の合意に達して、PRBバンドリングが使用される非サービングセルのPRBをUEに知らせるとともに、RRCシグナリング又はDCIを使用することにより、非サービングセルのダウンリンク送信チャネルに関してチャネル推定が行われるときにPRBバンドリング情報を使用可能な時間−周波数リソース位置（例えば、Subframe／PRB  pattern）をUEに知らせる。
【０１４４】
D：基地局は、DCI又はRRCシグナリングを使用することによって、非サービングセルのEPDCCHの構成情報をUEに知らせるために使用される通知メッセージを送信し、この場合、UEは、受信した非サービングセルのEPDCCHの構成情報にしたがって、PRBバンドリング情報を非サービングセルで使用可能か否かを学習する。
【０１４５】
非サービングセル基地局とのやりとりを行って、非サービングセルのEPDCCHのスケジューリング情報を取得した後、サービング基地局は、RRCシグナリング又はDCIを使用することにより、非サービングセルのEPDCCHの構成情報をUEに知らせ、例えば、それにより、非サービングセルのEPDCCHが位置される時間−周波数リソース位置に関する情報等をUEに知らせる。非サービングセルのEPDCCHの構成情報を取得した後、UEは、非サービングセルに関してチャネル推定が行われるときにEPDCCHの時間−周波数リソースが回避されるべき時間−周波数リソース位置（例えば、サブフレーム／PRBパターン）を学習する。或いは、基地局は、非サービングセルのEPDCCHの全ての構成情報をUEに知らせ、また、UEは、取得した非サービングセルのEPDCCHの構成情報を使用することにより、EPDCCHにより占められるPRBのためのチャネル推定を別々に行う。
【０１４６】
前述の3つの態様に関連して、UEは、サービング基地局により送信される受信した干渉情報にしたがって、及び、非サービングセル内で使用するPRBバンドリングの基地局により送信される情報に基づいて、PRBバンドリングを使用可能な非サービングセルのPRBを決定して、非サービングセルのダウンリンク送信チャネルに関して行われるチャネル推定を実施するためにPRBバンドリング情報を使用可能なPRBに関して検出を行うとともに、得られたチャネル推定値と非サービングセルの設定パイロットデータ出力比情報とにしたがって、サービングセルのダウンリンク送信信号に対して非サービングセルのダウンリンク送信信号によりもたらされる同一チャネル干渉を抑制又はキャンセルしてもよい。具体的には、前述の詳細な説明を参照されたい。ここでは再び詳細について説明しない。
【０１４７】
第1の態様〜第4の態様の前述の詳細な説明では、非サービングセルのダウンリンク送信チャネルに関してチャネル推定を行った後、UEは、得られたチャネル推定値と非サービングセルの設定パイロットデータ出力比情報とにしたがって、サービングセルのダウンリンク送信信号に対して非サービングセルのダウンリンク送信信号によりもたらされる同一チャネル干渉を抑制又はキャンセルする。
【０１４８】
また、非サービングセルの設定パイロットデータ出力比情報は、UEに知らせるためにネットワークデバイスにより更に供給されてもよい。更に、前述の第1の態様〜第4の態様に基づいて、ネットワークデバイスは、以下の第5の態様で干渉情報をUEへ送ってもよい。
【０１４９】
第5の態様において、ネットワークデバイスによりUEに送信される干渉情報は、非サービングセルのパイロットデータ出力比情報を更に含んでもよい。この態様は、前述の第1〜第4の態様のいずれか1つと組み合わせて使用されてもよい。ネットワークデバイスは、取得した干渉情報をUEに送信し、この場合、ネットワークデバイスによりUEに送信される非サービングセルの干渉情報は、生成パラメータと、非サービングセルのパイロットデータ出力比情報とを含む。生成パラメータは、非サービングセルの物理セル識別子又は仮想セル識別子を含んでもよい。非サービングセルのパイロットデータ出力比情報は、パイロットデータ出力比であってもよく、又は、非サービングセルの更に高い層と非サービングセルのセル固有基準信号（英語：Cell-specific  Reference  Signals、略して、CRS）のアンテナポートの量とにより構成されるパブリックパラメータ（PB）であってもよい。
【０１５０】
サービングセルをサーブするネットワークデバイスは、インタフェースを介して、非サービングセルをサーブするネットワークデバイスと情報をやりとりして、非サービングセルをサーブするネットワークデバイスにより送信される非サービングセルの干渉情報を取得する。ネットワークデバイスは、取得した干渉情報と非サービングセルのセル識別子との間の対応を維持し、また、ネットワークデバイスは、生成パラメータと非サービングセルのパイロットデータ出力比情報とを含む取得した干渉情報をUEに送信する。
【０１５１】
UEは、基地局により送信される受信した干渉情報にしたがって前述の第1の態様〜第4の態様のいずれか1つにおける処理を行い、また、サービングセルで送信される信号に対して非サービングセルで送信される信号によりもたらされる同一チャネル干渉が得られたチャネル推定値にしたがって非サービングセルのパイロットデータ出力比情報に関連して処理される際、対応する処理は、第5の態様でネットワークデバイスから送信される干渉情報に含まれる非サービングセルのパイロットデータ出力比情報を使用することによって行われる。
【０１５２】
詳細は、ネットワークデバイスが基地局である例を依然として使用することによって説明される。サービング基地局及び非サービングセル基地局は、X2インタフェース、S1インタフェース、又は、他のインタフェースを介して互いに情報をやりとりしてもよく、また、サービング基地局は、非サービングセル基地局により送信される非サービングセルの物理セル識別子又は仮想セル識別子を取得するとともに、非サービングセルのパイロットデータ出力比情報を取得する。サービング基地局は、取得した非サービングセルの物理識別子又は仮想セル識別子と取得した非サービングセルのパイロットデータ出力比情報とを維持する。サービング基地局は、RRCシグナリング又はDCIを使用することにより、取得した非サービングセルの干渉情報をUEに送信する。具体的には、サービングセルにより維持される非サービングセルの干渉情報に関しては、特に以下の表5が参照されてもよい。
【０１５３】
【表５】
2016528816.tif 000007
【０１５４】
先の表5において、物理IDは、非サービングセルの物理セル識別子を表し、また、表5中の「xx」は0〜503の範囲の値を表す。
【０１５５】
基地局は、維持される干渉情報をUEに送ってもよい。前述の4つの態様のいずれか1つに関連してサービング基地局により送信される受信した干渉情報にしたがって非サービングセルのダウンリンク送信チャネルに関してチャネル推定を行った後、UEは、得られたチャネル推定値と基地局により供給される非サービングセルのパイロット出力比情報とにしたがって、サービングセルのダウンリンク送信信号に対して非サービングセルのダウンリンク送信信号によりもたらされる同一チャネル干渉を抑制又はキャンセルする。
【０１５６】
第2実施形態
前述の第1実施形態で提案されるシステムに基づいて、本発明の第2実施形態は、同一チャネルセル干渉を処理するための方法を提案する。図5に示されるように、方法の特定の処理手順は以下の通りである。
【０１５７】
ステップ50：ネットワークデバイスは、非サービングセルからUEへの干渉に関する情報を取得する。
【０１５８】
ステップ51：ネットワークデバイスは、取得した干渉情報をUEに送信する。
【０１５９】
前述のステップ50〜ステップ51では、干渉情報が生成パラメータを含み、その場合、生成パラメータは、非サービングセルのユーザ端末固有基準信号配列の初期化パラメータを決定するために使用されるパラメータ値である。生成パラメータは、非サービングセルの物理セル識別子又は仮想セル識別子であってもよい。
【０１６０】
ネットワークデバイスにより生成パラメータを取得する特定の処理プロセスに関しては、本発明の第2実施形態において再び説明されない前述の第1実施形態における詳細な説明を参照されたい。
【０１６１】
ネットワークデバイスにより取得される干渉情報は、以下の情報のうちの少なくとも1つのタイプを更に含んでもよい。
【０１６２】
A：ユーザ端末固有基準信号配列復調チャネルに基づく送信モードが非サービングセルで使用される物理リソースブロック（PRB）に関する情報。
【０１６３】
B：ユーザ端末固有基準信号配列を送信するために非サービングセルで使用されるアンテナポートに関する情報。
【０１６４】
C：非サービングセルの物理リソースブロック（PRB）バンドリング情報。
【０１６５】
非サービングセルのPRBバンドリング情報は、以下のうちの少なくとも1つを含む。
【０１６６】
C1：PRBバンドリングを非サービングセルで使用可能か否かに関する情報。
【０１６７】
C2：PRBバンドリングを設定期間内において非サービングセルの特定の時間領域リソースで使用可能であるという情報。
【０１６８】
C3：PRBバンドリングを非サービングセルの時間−周波数リソースで使用可能であるという情報。
【０１６９】
前述の3つの態様において、ネットワークデバイスは、非サービングセルのPRBバンドリング情報をUEへ直接に送信する。ネットワークデバイスによって非サービングセルのPRBバンドリング情報の前述の3つの形態を送信する特定の処理プロセスに関しては、本発明の第2実施形態において再び説明されない前述の第1実施形態における詳細な説明を参照されたい。
【０１７０】
前述の3つの態様に加えて、ネットワークデバイスは、潜在的なマッピング態様で非サービングセルのPRBバンドリング情報をUEに更に知らせてもよく、具体的には、非サービングセルのエンハンスト物理ダウンリンク制御チャネル（EPDCCH）の構成情報をUEへ送ってもよく、この場合、EPDCCHの構成情報は、EPDCCHの構成情報にしたがってPRBバンドリングを非サービングセルで使用可能か否かを学習するためにUEにより使用される情報である。
【０１７１】
D：非サービングセルのパイロットデータ出力比情報
【０１７２】
具体的には、ネットワークデバイスによって前述の幾つかの形態の干渉情報を取得する特定の実施態様に関しては、本発明の第2実施形態において再び説明されない前述の第1実施形態における詳細な説明を参照されたい。
【０１７３】
ステップ52：UEは、ネットワークデバイスにより送信される干渉情報を受信する。
【０１７４】
ステップ53：UEは、受信した干渉情報にしたがって、サービングセルのダウンリンク送信信号に対して非サービングセルのダウンリンク送信信号によりもたらされる同一チャネル干渉を処理する。
【０１７５】
UEが現在位置されるサービングセルにおいて、干渉情報とは、PDSCHを復調するために使用されるとともにネットワークデバイスがサーブするセル内のUEへ非サービングセルをサーブするネットワークデバイスにより送信される全ての情報のことである。干渉情報をUEに送信するネットワークデバイスが、UEが現在位置されるサービングセルをサーブするネットワークデバイスである、という例を使用することによって、詳細が本発明の第2実施形態において説明される。
【０１７６】
干渉情報は比較的多量のコンテンツを含むため、ネットワークデバイスは干渉情報の一部又は全部をUEへ送ってもよい。UEは、受信した干渉情報の一部又は全部にしたがって非サービングセルのダウンリンク送信チャネルに関してチャネル推定を行ってもよく、また、得られたチャネル推定値にしたがって、サービングセルのダウンリンク送信信号に対して非サービングセルのダウンリンク送信信号によりもたらされる同一チャネル干渉を処理してもよい。
【０１７７】
UEは、受信した生成パラメータにしたがって非サービングセルのユーザ端末固有基準信号配列を決定して、決定されたユーザ端末固有基準信号配列にしたがって非サービングセルのダウンリンク送信チャネルに関してチャネル推定を行うとともに、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理する。
【０１７８】
具体的には、UEは、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び、決定されたユーザ端末固有基準信号配列を送信するために非サービングセルで使用されるアンテナポートに関する情報に基づいて、復調パイロットシーケンスを取得してもよく、この場合、復調パイロットシーケンスは、アンテナポート情報に対応するアンテナポートにあるとともに、ダウンリンク送信チャネルで送信される基準信号を復調するために使用され、また、UEは、取得した復調パイロットシーケンスにしたがって、PRBバンドリング情報に基づき、非サービングセルのダウンリンク送信チャネルに関してチャネル推定を行ってもよい。
【０１７９】
これに対応して、受信した干渉情報にしたがい、PRBバンドリング情報が予め設定された所定量のPRBのバンドリングであってもよく、又は、PRBバンドリング情報は、受信した干渉情報から取得される。
【０１８０】
これに対応して、受信した干渉情報にしたがって、ユーザ端末固有基準信号配列復調チャネルに基づく送信モードが非サービングセルで使用されるPRBに関する情報は、受信した干渉情報から取得されるか、又は、ユーザ端末固有基準信号配列復調チャネルに基づく送信モードが非サービングセルで使用されるPRBに関する情報は、PRBバンドリング情報に基づいて非サービングセルの物理リソースブロック（PRB）に関してブラインド検出を行うことによって取得される。
【０１８１】
これに対応して、受信した干渉情報にしたがって、ユーザ端末固有基準信号配列を送信するために非サービングセルで使用されるアンテナポートに関する情報は、受信した干渉情報から取得されるか、又は、ユーザ端末固有基準信号配列を送信するために非サービングセルで使用されるアンテナポートに関する情報は、PRBバンドリング情報に基づいて非サービングセルのPRBに関してブラインド検出を行うことによって取得される。
【０１８２】
これに対応して、受信した干渉情報にしたがって、非サービングセルのパイロットデータ出力比情報は、受信した干渉情報から取得されるか、又は、非サービングセルのパイロットデータ出力比情報は、予め設定された固定値である。
【０１８３】
具体的には、ネットワークデバイスにより送られる干渉情報の一部又は全部を受信した後に、受信した干渉情報にしたがって同一チャネル干渉をUEにより処理する特定の実施態様に関しては、本発明の第2実施形態で再び説明されない前述の第1実施形態における第1の態様〜第5の態様における詳細な説明を参照されたい。
【０１８４】
第3実施形態
本発明の第3実施形態は、同一チャネルセル干渉を処理するための方法を提案する。図6に示されるように、方法の特定の処理プロセスは以下の通りである。
【０１８５】
ステップ61：非サービングセルの干渉情報を取得する。
【０１８６】
ステップ62：取得した非サービングセルの干渉情報をUEに送信する。
【０１８７】
干渉情報は生成パラメータを含み、その場合、生成パラメータは、非サービングセルのユーザ端末固有基準信号配列の初期化パラメータを決定するために使用されるパラメータ値である。生成パラメータは、非サービングセルの物理セル識別子又は仮想セル識別子であってもよい。
【０１８８】
ネットワークデバイスにより生成パラメータを取得する特定の処理プロセスに関しては、本発明の第2実施形態において再び説明されない前述の第1実施形態における詳細な説明を参照されたい。
【０１８９】
ネットワークデバイスにより取得される干渉情報は、以下の情報のうちの少なくとも1つのタイプを更に含んでもよい。
【０１９０】
A：ユーザ端末固有基準信号配列復調チャネルに基づく送信モードが非サービングセルで使用される物理リソースブロック（PRB）に関する情報。
【０１９１】
B：ユーザ端末固有基準信号配列を送信するために非サービングセルで使用されるアンテナポートに関する情報。
【０１９２】
C：非サービングセルの物理リソースブロック（PRB）バンドリング情報。
【０１９３】
非サービングセルのPRBバンドリング情報は、以下のうちの少なくとも1つを含む。
【０１９４】
C1：PRBバンドリングを非サービングセルで使用可能か否かに関する情報。
【０１９５】
C2：PRBバンドリングを設定期間内において非サービングセルの特定の時間領域リソースで使用可能であるという情報。
【０１９６】
C3：PRBバンドリングを非サービングセルの時間−周波数リソースで使用可能であるという情報。
【０１９７】
前述の3つの態様において、ネットワークデバイスは、非サービングセルのPRBバンドリング情報をUEへ直接に送信する。ネットワークデバイスによって非サービングセルのPRBバンドリング情報の前述の3つの形態を送信する特定の処理プロセスに関しては、本発明の第2実施形態において再び説明されない前述の第1実施形態における詳細な説明を参照されたい。
【０１９８】
前述の3つの態様に加えて、ネットワークデバイスは、潜在的なマッピング態様で非サービングセルのPRBバンドリング情報をUEに更に知らせてもよく、具体的には、非サービングセルのエンハンスト物理ダウンリンク制御チャネル（EPDCCH）の構成情報をUEへ送ってもよく、この場合、EPDCCHの構成情報は、EPDCCHの構成情報にしたがってPRBバンドリングを非サービングセルで使用可能か否かを学習するためにUEにより送信される情報である。
【０１９９】
D：非サービングセルのパイロットデータ出力比情報
【０２００】
具体的には、ネットワークデバイスによって前述の幾つかの形態の干渉情報を取得する特定の実施態様に関しては、本発明の第3実施形態において再び説明されない前述の第1実施形態における詳細な説明を参照されたい。
【０２０１】
これに対応して、本発明の第3実施形態は、同一チャネルセル干渉を処理するための装置を更に提案する。図7に示されるように、装置の特定の構造は以下の通りである。
【０２０２】
取得モジュール701は、非サービングセルの干渉情報を取得するとともに、取得した干渉情報を送信モジュール702に送信するように構成され、この場合、干渉情報が生成パラメータを含み、また、生成パラメータは、非サービングセルのユーザ端末固有基準信号配列の初期化パラメータを決定するために使用されるパラメータ値である。
【０２０３】
具体的には、前述の取得モジュール701により取得される生成パラメータは、非サービングセルの物理セル識別子又は仮想セル識別子である。
【０２０４】
具体的には、前述の取得モジュール701により取得される干渉情報は、以下の情報、すなわち、ユーザ端末固有基準信号配列復調チャネルに基づく送信モードが非サービングセルで使用される物理リソースブロック（PRB）に関する情報、ユーザ端末固有基準信号配列を送信するために非サービングセルで使用されるアンテナポートに関する情報、非サービングセルの物理リソースブロック（PRB）バンドリング情報、及び、非サービングセルのパイロットデータ出力比情報のうちの少なくとも1つのタイプを更に含む。
【０２０５】
具体的には、前述の取得モジュール701により取得される非サービングセルのPRBバンドリング情報は、以下のうちの少なくとも1つ、すなわち、PRBバンドリングを非サービングセルで使用可能か否かに関する情報、PRBバンドリングを設定期間内において非サービングセルの特定の時間領域リソースで使用可能であるという情報、及び、PRBバンドリングを非サービングセルの時間−周波数リソースで使用可能であるという情報のうちの少なくとも1つを含む。
【０２０６】
送信モジュール702は、取得モジュール701により送信される干渉情報を受信するとともに、取得した非サービングセルの干渉情報をユーザ端末（UE）に送信するように構成される。
【０２０７】
具体的には、前述の送信モジュール702は、特に、非サービングセルのエンハンスト物理ダウンリンク制御チャネル（EPDCCH）の構成情報をUEに送信するように構成され、この場合、EPDCCHの構成情報は、EPDCCHの構成情報にしたがってPRBバンドリングを非サービングセルで使用可能か否かを学習するためにUEにより使用される情報である。
【０２０８】
これに対応して、本発明の第3実施形態は、基地局を更に提案する。図8に示されるように、基地局は、信号プロセッサ801とトランシーバ802とを含む。信号プロセッサ801及びトランシーバ802は、データを送信するためにバスを使用することによって接続され、また、信号プロセッサ801及びトランシーバ802の特定の構造は以下の通りである。
【０２０９】
信号プロセッサ801は、非サービングセルの干渉情報を取得するとともに、取得した干渉情報をトランシーバ802に送信するように構成され、この場合、干渉情報が生成パラメータを含み、また、生成パラメータは、非サービングセルのユーザ端末固有基準信号配列の初期化パラメータを決定するために使用されるパラメータ値である。
【０２１０】
具体的には、前述の信号プロセッサ801により取得される生成パラメータは、非サービングセルの物理セル識別子又は仮想セル識別子である。
【０２１１】
具体的には、前述の信号プロセッサ801により取得される干渉情報は、以下の情報、すなわち、ユーザ端末固有基準信号配列復調チャネルに基づく送信モードが非サービングセルで使用される物理リソースブロック（PRB）に関する情報、ユーザ端末固有基準信号配列を送信するために非サービングセルで使用されるアンテナポートに関する情報、非サービングセルの物理リソースブロック（PRB）バンドリング情報、及び、非サービングセルのパイロットデータ出力比情報のうちの少なくとも1つのタイプを更に含む。
【０２１２】
具体的には、前述の信号プロセッサ801により取得される非サービングセルのPRBバンドリング情報は、以下のうちの少なくとも1つ、すなわち、PRBバンドリングを非サービングセルで使用可能か否かに関する情報、PRBバンドリングを設定期間内において非サービングセルの特定の時間領域リソースで使用可能であるという情報、及び、PRBバンドリングを非サービングセルの時間−周波数リソースで使用可能であるという情報のうちの少なくとも1つを含む。
【０２１３】
トランシーバ802は、信号プロセッサ801により送信される干渉情報を受信するとともに、取得した非サービングセルの干渉情報をユーザ端末（UE）に送信するように構成される。
【０２１４】
具体的には、前述のトランシーバ802は、特に、非サービングセルのエンハンスト物理ダウンリンク制御チャネル（EPDCCH）の構成情報をUEに送信するように構成され、この場合、EPDCCHの構成情報は、EPDCCHの構成情報にしたがってPRBバンドリングを非サービングセルで使用可能か否かを学習するためにUEにより使用される情報である。
【０２１５】
第4実施形態
本発明の第4実施形態は、同一チャネルセル干渉を処理するための方法を提案する。図9に示されるように、方法の特定の処理手順は以下の通りである。
【０２１６】
ステップ91：非サービングセルの干渉情報を受信する。
【０２１７】
ステップ92：受信した干渉情報にしたがって、サービングセルのダウンリンク送信信号に対して非サービングセルのダウンリンク送信信号によりもたらされる同一チャネル干渉を処理する。
【０２１８】
UEが現在位置されるサービングセルにおいて、干渉情報とは、PDSCHを復調するために使用されるとともにネットワークデバイスがサーブするセル内のUEへ非サービングセルをサーブするネットワークデバイスにより送信される全ての情報のことである。干渉情報をUEに送信するネットワークデバイスが、UEが現在位置されるサービングセルをサーブするネットワークデバイスである、という例を使用することによって、詳細が本発明の第4実施形態において説明される。
【０２１９】
干渉情報は比較的多量のコンテンツを含むため、ネットワークデバイスは干渉情報の一部又は全部をUEへ送ってもよい。UEは、受信した干渉情報の一部又は全部にしたがって非サービングセルのダウンリンク送信チャネルに関してチャネル推定を行ってもよく、また、得られたチャネル推定値にしたがって、サービングセルのダウンリンク送信信号に対して非サービングセルのダウンリンク送信信号によりもたらされる同一チャネル干渉を処理してもよい。
【０２２０】
UEは、受信した生成パラメータにしたがって非サービングセルのユーザ端末固有基準信号配列を決定して、決定されたユーザ端末固有基準信号配列にしたがって非サービングセルのダウンリンク送信チャネルに関してチャネル推定を行うとともに、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理する。
【０２２１】
具体的には、UEは、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び、決定されたユーザ端末固有基準信号配列を送信するために非サービングセルで使用されるアンテナポートに関する情報に基づいて、復調パイロットシーケンスを取得してもよく、この場合、復調パイロットシーケンスは、アンテナポート情報に対応するアンテナポートにあるとともに、ダウンリンク送信チャネルで送信される基準信号を復調するために使用され、また、UEは、取得した復調パイロットシーケンスにしたがって、PRBバンドリング情報に基づき、非サービングセルのダウンリンク送信チャネルに関してチャネル推定を行ってもよい。
【０２２２】
これに対応して、受信した干渉情報にしたがって、PRBバンドリング情報が予め設定された所定量のPRBのバンドリングであってもよく、又は、PRBバンドリング情報は、受信した干渉情報から取得される。
【０２２３】
これに対応して、受信した干渉情報にしたがって、ユーザ端末固有基準信号配列復調チャネルに基づく送信モードが非サービングセルで使用されるPRBに関する情報は、受信した干渉情報から取得されるか、又は、ユーザ端末固有基準信号配列復調チャネルに基づく送信モードが非サービングセルで使用されるPRBに関する情報は、PRBバンドリング情報に基づいて非サービングセルの物理リソースブロック（PRB）に関してブラインド検出を行うことによって取得される。
【０２２４】
これに対応して、受信した干渉情報にしたがって、ユーザ端末固有基準信号配列を送信するために非サービングセルで使用されるアンテナポートに関する情報は、受信した干渉情報から取得されるか、又は、ユーザ端末固有基準信号配列を送信するために非サービングセルで使用されるアンテナポートに関する情報は、PRBバンドリング情報に基づいて非サービングセルのPRBに関してブラインド検出を行うことによって取得される。
【０２２５】
これに対応して、受信した干渉情報にしたがって、非サービングセルのパイロットデータ出力比情報は、受信した干渉情報から取得されるか、又は、非サービングセルのパイロットデータ出力比情報は、予め設定された固定値である。
【０２２６】
具体的には、ネットワークデバイスにより送信される干渉情報の一部又は全部を受信した後に、受信した干渉情報にしたがって同一チャネル干渉を処理する特定の実施態様に関しては、本発明の第4実施形態で再び説明されない前述の第1実施形態における第1の態様〜第5の態様における詳細な説明を参照されたい。
【０２２７】
これに対応して、本発明の第4実施形態は、同一チャネルセル干渉を処理するための装置を更に提案する。図10に示されるように、装置の特定の構造は以下の通りである。
【０２２８】
受信モジュール101は、非サービングセルの干渉情報を受信するとともに、受信した干渉情報を処理モジュール102に送信するように構成され、この場合、干渉情報が生成パラメータを含み、また、生成パラメータは、非サービングセルのユーザ端末固有基準信号配列の初期化パラメータを決定するために使用されるパラメータ値である。
【０２２９】
処理モジュール102は、受信モジュール101により送信される受信した干渉情報にしたがって、サービングセルのダウンリンク送信信号に対して非サービングセルのダウンリンク送信信号によりもたらされる同一チャネル干渉を処理するように構成される。
【０２３０】
具体的には、前述の処理モジュール102は、特に、受信した生成パラメータにしたがって非サービングセルのユーザ端末固有基準信号配列を決定して、決定されたユーザ端末固有基準信号配列にしたがって非サービングセルのダウンリンク送信チャネルに関してチャネル推定を行うとともに、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理するように構成される。
【０２３１】
具体的には、前述の処理モジュール102は、特に、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び、決定されたユーザ端末固有基準信号配列を送信するために非サービングセルで使用されるアンテナポートに関する情報に基づいて、復調パイロットシーケンスを取得するように構成され、この場合、復調パイロットシーケンスは、アンテナポート情報に対応するアンテナポートにあるとともに、ダウンリンク送信チャネルで送信される基準信号を復調するために使用され、また、処理モジュール102は、取得した復調パイロットシーケンスにしたがって、PRBバンドリング情報に基づき、非サービングセルのダウンリンク送信チャネルに関してチャネル推定を行うように構成される。
【０２３２】
具体的には、前述の処理モジュール102により取得されるPRBバンドリング情報は、予め設定された所定量のPRBのバンドリングであるか、又は、PRBバンドリング情報は、受信した干渉情報から取得される。
【０２３３】
具体的には、ユーザ端末固有基準信号配列復調チャネルに基づく送信モードが非サービングセルで使用されるPRBに関して前述の処理モジュール102により取得される情報は、受信した干渉情報から取得されるか、又は、ユーザ端末固有基準信号配列復調チャネルに基づく送信モードが非サービングセルで使用されるPRBに関する情報は、PRBバンドリング情報に基づいて非サービングセルの物理リソースブロック（PRB）に関してブラインド検出を行うことによって取得される。
【０２３４】
具体的には、ユーザ端末固有基準信号配列を送信するために非サービングセルで使用されるアンテナポートに関して前述の処理モジュール102により取得される情報は、受信した干渉情報から取得されるか、又は、ユーザ端末固有基準信号配列を送信するために非サービングセルで使用されるアンテナポートに関する情報は、PRBバンドリング情報に基づいて非サービングセルのPRBに関してブラインド検出を行うことによって取得される。
【０２３５】
具体的には、前述の処理モジュール102により取得される非サービングセルのPRBバンドリング情報は、以下のうちの少なくとも1つ、すなわち、PRBバンドリングを非サービングセルで使用可能か否かに関する情報、PRBバンドリングを設定期間内において非サービングセルの特定の時間領域リソースで使用可能であるという情報、及び、PRBバンドリングを非サービングセルの時間−周波数リソースで使用可能であるという情報のうちの少なくとも1つを含む。
【０２３６】
具体的には、前述の処理モジュール102により取得される非サービングセルのPRBバンドリング情報は、非サービングセルのエンハンスト物理ダウンリンク制御チャネル（EPDCCH）の構成情報にしたがって取得される。
【０２３７】
具体的には、前述の処理モジュール102により取得される非サービングセルのパイロットデータ出力比情報は、受信した干渉情報から取得されるか、又は、非サービングセルのパイロットデータ出力比情報は、予め設定された固定値である。
【０２３８】
これに対応して、本発明の第4実施形態は、ユーザ端末を更に提案する。図11に示されるように、ユーザ端末の特定の構造は、トランシーバ111及び信号プロセッサ112を含む。トランシーバ111及び信号プロセッサは、データを送信するためにバスを使用することによって接続される。
【０２３９】
トランシーバ111は、非サービングセルの干渉情報を受信するとともに、受信した干渉情報を信号プロセッサ112に送信するように構成され、この場合、干渉情報が生成パラメータを含み、また、生成パラメータは、非サービングセルのユーザ端末固有基準信号配列の初期化パラメータを決定するために使用されるパラメータ値である。
【０２４０】
信号プロセッサ112は、トランシーバ111により送信される受信した干渉情報にしたがって、サービングセルのダウンリンク送信信号に対して非サービングセルのダウンリンク送信信号によりもたらされる同一チャネル干渉を処理するように構成される。
【０２４１】
具体的には、前述の信号プロセッサ112は、特に、受信した生成パラメータにしたがって非サービングセルのユーザ端末固有基準信号配列を決定して、決定されたユーザ端末固有基準信号配列にしたがって非サービングセルのダウンリンク送信チャネルに関してチャネル推定を行うとともに、得られたチャネル推定値と非サービングセルのパイロットデータ出力比情報とにしたがって、サービングセルのダウンリンク送信信号に対して非サービングセルのダウンリンク送信信号によりもたらされる同一チャネル干渉を処理するように構成される。
【０２４２】
具体的には、前述の信号プロセッサ112は、特に、サービングセルの現在スケジューリングされる時間−周波数リソースの位置で、物理リソースブロック（PRB）バンドリング情報、ユーザ端末固有基準信号配列復調チャネルに基づく送信モードが非サービングセルで使用されるPRBに関する情報、及び、決定されたユーザ端末固有基準信号配列を送信するために非サービングセルで使用されるアンテナポートに関する情報に基づいて、復調パイロットシーケンスを取得するように構成され、この場合、復調パイロットシーケンスは、アンテナポート情報に対応するアンテナポートにあるとともに、ダウンリンク送信チャネルで送信される基準信号を復調するために使用され、また、信号プロセッサ112は、取得した復調パイロットシーケンスにしたがって、PRBバンドリング情報に基づき、非サービングセルのダウンリンク送信チャネルに関してチャネル推定を行うように構成される。
【０２４３】
具体的には、前述の信号プロセッサ112により取得されるPRBバンドリング情報は、予め設定された所定量のPRBのバンドリングであるか、又は、PRBバンドリング情報は、受信した干渉情報から取得される。
【０２４４】
具体的には、ユーザ端末固有基準信号配列復調チャネルに基づく送信モードが非サービングセルで使用されるPRBに関して前述の信号プロセッサ112により取得される情報は、受信した干渉情報から取得されるか、又は、ユーザ端末固有基準信号配列復調チャネルに基づく送信モードが非サービングセルで使用されるPRBに関する情報は、PRBバンドリング情報に基づいて非サービングセルの物理リソースブロック（PRB）に関してブラインド検出を行うことによって取得される。
【０２４５】
具体的には、ユーザ端末固有基準信号配列を送信するために非サービングセルで使用されるアンテナポートに関して前述の信号プロセッサ112により取得される情報は、受信した干渉情報から取得されるか、又は、ユーザ端末固有基準信号配列を送信するために非サービングセルで使用されるアンテナポートに関する情報は、PRBバンドリング情報に基づいて非サービングセルのPRBに関してブラインド検出を行うことによって取得される。
【０２４６】
具体的には、前述の信号プロセッサ112により取得される非サービングセルのPRBバンドリング情報は、以下のうちの少なくとも1つ、すなわち、PRBバンドリングを非サービングセルで使用可能か否かに関する情報、PRBバンドリングを設定期間内において非サービングセルの特定の時間領域リソースで使用可能であるという情報、及び、PRBバンドリングを非サービングセルの時間−周波数リソースで使用可能であるという情報のうちの少なくとも1つを含む。
【０２４７】
具体的には、前述の信号プロセッサ112により取得される非サービングセルのPRBバンドリング情報は、非サービングセルのエンハンスト物理ダウンリンク制御チャネル（EPDCCH）の構成情報にしたがって取得される。
【０２４８】
具体的には、前述の信号プロセッサ112により取得される非サービングセルのパイロットデータ出力比情報は、受信した干渉情報から取得されるか、又は、非サービングセルのパイロットデータ出力比情報は、予め設定された固定値である。
【０２４９】
当業者であれば分かるように、本発明の実施形態は、方法、装置（デバイス）、又はコンピュータプログラムプロダクトとして提供されてもよい。したがって、本発明は、ハードウェアのみの実施形態、ソフトウェアのみの実施形態、又はソフトウェアとハードウェアとの組み合わせを伴う実施形態の形を使用してもよい。また、本発明は、コンピュータ使用可能プログラムコードを含む1つ以上のコンピュータ使用可能記憶媒体（ディスクメモリ、CD-ROM、光メモリ等を含むがこれらに限定されない）に実装されるコンピュータプログラムプロダクトの形態を使用してもよい。
【０２５０】
本発明は、本発明の実施形態に係る方法、装置（デバイス）、及びコンピュータプログラムプロダクトのフローチャート及び／又はブロック図に関連して説明される。フローチャート内及び／又はブロック図内の各プロセス及び／又は各ブロック、及び、フローチャート及び／又はブロック図内のプロセス及び／又はブロックの組み合わせを実施するためにコンピュータプログラム命令が使用されてもよいことが理解されるべきである。これらのコンピュータプログラム命令は、機械を生成するために、汎用コンピュータ、専用コンピュータ、組み込みプロセッサ、又は任意の他のプログラマブルデータ処理デバイスのプロセッサに与えられてもよく、それにより、任意の他のプログラマブルデータ処理デバイスのプロセッサ又はコンピュータにより実行される命令は、フローチャート内の1つ以上のプロセス及び／又はブロック図内の1つ以上のブロックにおける特定の機能を果たすための装置をもたらす。
【０２５１】
これらのコンピュータプログラム命令は、特定の態様で働くようにコンピュータ又は任意の他のプログラマブルデータ処理デバイスに指示できるコンピュータ可読メモリに記憶されてもよく、それにより、コンピュータ可読メモリ内に記憶される命令は、命令装置を含むアーチファクトを生成する。命令装置は、フローチャート内の1つ以上のプロセスにおいて及び／又はブロック図内の1つ以上のブロックにおいて特定の機能を果たす。
【０２５２】
これらのコンピュータプログラム命令がコンピュータ又は他のプログラマブルデータ処理デバイスに取り込まれてもよく、それにより、一連の動作及びステップがコンピュータ又は他のプログラマブルデバイスで行われ、その結果、コンピュータ実装処理がもたらされる。したがって、コンピュータ又は他のプログラマブルデバイスで実行される命令は、フローチャート内の1つ以上のプロセスにおいて及び／又はブロック図内の1つ以上のブロックにおいて特定の機能を果たすためのステップを与える。
【０２５３】
本発明の幾つかの好ましい実施形態を説明してきたが、当業者は、彼らが基本的な発明概念を学習した時点でこれらの実施形態に対して変更及び改良を成すことができる。したがって、添付の特許請求の範囲は、本発明の範囲内に入る全ての変更及び改良並びに好ましい実施形態を包含するように解釈されることを意図する。
【０２５４】
当然ながら、当業者は、本発明の思想及び範囲から逸脱することなく、本発明に対して様々な変更及び変形を成すことができる。本発明は、これらの変更及び変形を、それらが添付の特許請求の範囲及びそれらの等価な技術により規定される保護範囲内に入る限りにおいて包含することを意図する。
【符号の説明】
【０２５５】
101  受信モジュール
102  処理モジュール
111  トランシーバ
112  信号プロセッサ
701  取得モジュール
702  送信モジュール
801  信号プロセッサ
802  トランシーバ
【図１】
2016528816.tif 000008
【図２】
2016528816.tif 000009
【図３】
2016528816.tif 000010
【図４】
2016528816.tif 000011
【図５】
2016528816.tif 000012
【図６】
2016528816.tif 000013
【図７】
2016528816.tif 000014
【図８】
2016528816.tif 000015
【図９】
2016528816.tif 000016
【図１０】
2016528816.tif 000017
【図１１】
2016528816.tif 000018
【手続補正書】
【提出日】平成28年3月10日(2016.3.10)
【手続補正１】
【補正対象書類名】明細書
【補正対象項目名】０００２
【補正方法】変更
【補正の内容】
【０００２】
第3世代（3G）通信システムの発展型システムとして、ロングタームエボリューション（英語：Long  Term  Evolution、略して、LTE）通信システムは、3Gにおけるオーバー・ザ・エアアクセス技術を向上させて高めるとともに、直交周波数分割多重（英語：Orthogonal  Frequency  Division  Multiplexing、略して、OFDM）技術及び多入力多出力（英語：Multiple  Input  Multiple  Output、略して、MIMO）技術をLTE通信システムの無線ネットワーク発展のための固有の標準規格として使用する。第3世代パートナーシッププロジェクト（英語：3rd  Generation  Partnership  Project、略して、3GPP）におけるLTEプロジェクトの主な性能目標は、20MHzのスペクトル帯域幅を伴って100Mbpsのダウンリンクピークレートと50Mbpsのアップリンクピークレートとを与えることができる能力を含み、それにより、セル端にあるユーザ端末（英語：User  Terminal、略して、UE）の性能が向上し、基地局の容量が増大するとともに、システム遅延等が減少される。
【手続補正２】
【補正対象書類名】明細書
【補正対象項目名】００６５
【補正方法】変更
【補正の内容】
【００６５】
この明細書中に記載される技術は、様々な通信システム、例えば、現在の2G及び3G通信システム並びに次世代通信システム、例えば、グローバルシステム・フォー・モバイルコミュニケーションズ（英語：Global  System  for  Mobile  communications、略して、GSM（登録商標））、符号分割多重アクセス（英語：Code  Division  Multiple  Access、略して、CDMA）システム、時分割多重アクセス（英語：Time  Division  Multiple  Access、略して、TDMA）システム、広帯域符号分割多重アクセス（英語：Wideband  Code  Division  Multiple  Access、略して、WCDMA（登録商標））システム、周波数割多重アクセス（英語：Frequency  Division  Multiple  Access、略して、FDMA）システム、直交周波数割多重アクセス（英語：Orthogonal  Frequency-Division  Multiple  Access、略して、OFDMA）システム、シングルキャリアFDMA（SC-FDMA）システム、汎用パケット無線通信サービス（英語：General  Packet  Radio  Service、略して、GPRS）システム、ロングタームエボリューション（英語：Long  Term  Evolution、略して、LTE）システム、及び、他の通信システムに適用されてもよい。
【手続補正３】
【補正対象書類名】明細書
【補正対象項目名】００６７
【補正方法】変更
【補正の内容】
【００６７】
ユーザ端末は、無線端末又は有線端末であってもよい。無線端末とは、音声／データ接続性をユーザに与えるデバイス、無線接続機能を伴う手持ち式デバイス、又は無線モデムに接続される他の処理デバイスのことである。無線端末は、無線アクセスネットワーク（例えば、英語：Radio  Access  Network、略して、RAN）を介して1つ以上のコアネットワークと通信してもよい。無線端末は携帯電話（「セルラー」フォンとも称される）などの携帯端末であってもよく、また、携帯端末を伴うコンピュータは、例えば、音声及び／又はデータを無線アクセスネットワークとやりとりする携帯型、ポケットサイズ、手持ち式、コンピュータ内蔵式、又は車載のモバイル装置であってもよい。例えば、無線端末は、パーソナル通信サービス（英語：Personal  Communication  Service、略して、PCS）フォン、ワイヤレスローカルループ（英語：Wireless  Local  Loop、略して、WLL）ステーション、又はパーソナルデジタルアシスタント（英語：Personal  Digital  Assistant、略して、PDA）などのデバイスであってもよい。無線端末は、システム、加入者ユニット（英語：Subscriber  Unit）、加入者ステーション（英語：Subscriber  Station）、モバイルステーション（英語：Mobile Station）、モバイルターミナル（英語：Mobile  Terminal）、遠隔ステーション（英語：Remote  Station、略して、RS）、アクセスポイント（英語：Access  Point、略して、AP）、遠隔端末（英語：Remote  Terminal）、アクセス端末（英語：Access  Terminal）、ユーザ端末（英語：User  Terminal）、ユーザエージェント（英語：User  Agent）、ユーザデバイス（英語：User  Device）、又はユーザ機器（英語：User  Equipment）と称されてもよい。
【手続補正４】
【補正対象書類名】明細書
【補正対象項目名】００６８
【補正方法】変更
【補正の内容】
【００６８】
基地局（例えば、アクセスポイント）とは、アクセスネットワーク内で、エアインタフェース上で1つ以上のセクタを介して無線端末と通信するデバイスのことであってもよい。基地局は、受信されるオーバー・ザ・エアフレーム及びIPパケットを相互に変換して、無線端末とアクセスネットワークの静止部との間のルータとしての機能を果たすように構成されてもよく、この場合、アクセスネットワークの静止部は、インターネットプロトコル（略して、IP）ネットワークを含んでもよい。また、基地局は、エアインタフェースの属性管理を調整してもよい。例えば、基地局は、GSM（登録商標）又はCDMAにおける基地局（英語：Base  Transceiver  Station、略して、BTS）であってもよく、又は、WCDMA（登録商標）における基地局（英語：NodeB）であってもよく、又は、LTEにおける発展型ノードB（英語：evolved  Node  B、略して、eNB、又は、e-NodeB）であってもよく、本発明において限定されない。
【手続補正５】
【補正対象書類名】明細書
【補正対象項目名】００７１
【補正方法】変更
【補正の内容】
【００７１】
この明細書中におけるユーザ端末固有基準信号（英語：UE-specific  reference  signal）及び復調基準信号（英語：Demodulation  Reference  Signal、略して、DM-RS）は、互いに置き換え可能であってもよく、また、説明を容易にするために、この明細書中では、詳細な説明において、ユーザ端末固有基準信号が一例として使用される。
【手続補正６】
【補正対象書類名】明細書
【補正対象項目名】０１１５
【補正方法】変更
【補正の内容】
【０１１５】
前述の第1の態様とは対照的に、前述の第3の態様では、サービングセルに対して非サービングセルの干渉情報により引き起こされる同一チャネル干渉をUEが抑制又はキャンセルする際、ネットワークデバイスによりUEに送信される干渉情報は、生成パラメータと、ユーザ端末固有基準信号配列を送信するために非サービングセルで使用されるリソースに関する情報とを含む。UEは、ユーザ端末固有基準信号配列を送信するべく非サービングセルで使用されるアンテナポートに関する情報を取得するためにブラインド検出を行う必要がなく、したがって、ブラインド検出によりもたらされるエラーがかなり回避される。
【手続補正７】
【補正対象書類名】明細書
【補正対象項目名】０１１６
【補正方法】変更
【補正の内容】
【０１１６】
UEが非サービングセルからの同一チャネル干渉を抑制又はキャンセルする際、処理効果は、非サービングセルのダウンリンク送信チャネルに関してUEにより行われるチャネル推定の精度に依存する。比較的高い性能利得を得るために、ユーザ端末固有基準信号配列に基づくPDSCH送信が非サービングセルで使用される状況に起因して、UEが非サービングセルのダウンリンク送信チャネルに関して推定を行うときに、UEがPRBバンドリング情報を学習できれば、非サービングセルのダウンリンク送信チャネルに関してUEにより行われる推定の精度を更に向上させることができ、それにより、同一チャネル干渉を抑制又はキャンセルする際に更に良好な効果が得られる。しかしながら、既存のプロトコルは、主に以下の第1の理由又は第2の理由に起因して、そのような前提をサポートすることができない。
【手続補正８】
【補正対象書類名】明細書
【補正対象項目名】０１４１
【補正方法】変更
【補正の内容】
【０１４１】
サービング基地局及び非サービングセル基地局は、合意モードにしたがって互いにスケジューリング及び送信を行ってもよく、RRCシグナリング又はDCIを使用することにより、1つのサブフレームで非サービングセルのPRBバンドリング情報をUEに知らせてもよい。図4に示されるように、基地局がサブフレーム6においてUEをスケジューリングする場合、基地局は、［00000  01000］をUEに知らせてもよく、また、サブフレーム6において非サービングセルのPRBのためにPRBバンドリング情報を使用可能であること、及び、他のサブフレームにおいて非サービングセルのPRBのためにPRBバンドリング情報を使用できないことをUEに知らせてもよい。
【手続補正９】
【補正対象書類名】明細書
【補正対象項目名】０２５４
【補正方法】変更
【補正の内容】
【０２５４】
当然ながら、当業者は、本発明の範囲から逸脱することなく、本発明に対して様々な変更及び変形を成すことができる。本発明は、これらの変更及び変形を、それらが添付の特許請求の範囲及びそれらの等価な技術により規定される保護範囲内に入る限りにおいて包含することを意図する。
【手続補正１０】
【補正対象書類名】特許請求の範囲
【補正対象項目名】全文
【補正方法】変更
【補正の内容】
【特許請求の範囲】
【請求項１】
同一チャネルセル干渉を処理するための方法であって、
非サービングセルの干渉情報を取得するステップであって、前記干渉情報が生成パラメータを含み、前記生成パラメータは、前記非サービングセルのユーザ端末固有基準信号配列の初期化パラメータを決定するために使用されるパラメータ値である、ステップと、
取得した前記非サービングセルの前記干渉情報をユーザ端末（UE）に送信するステップと
を有する方法。
【請求項２】
前記生成パラメータが、前記非サービングセルの物理セル識別子である、請求項1に記載の方法。
【請求項３】
前記干渉情報が、
前記非サービングセルの物理リソースブロック（PRB）バンドリング情報と、
前記非サービングセルのパイロットデータ出力比情報と
のうちの少なくとも1つのタイプの情報を更に含む、請求項1又は2に記載の方法。
【請求項４】
同一チャネルセル干渉を処理するための方法であって、
非サービングセルの干渉情報を受信するステップであって、前記干渉情報が生成パラメータを含み、前記生成パラメータは、前記非サービングセルのユーザ端末固有基準信号配列の初期化パラメータを決定するために使用されるパラメータ値である、ステップと、
受信した前記干渉情報にしたがって、サービングセルのダウンリンク送信信号に対して前記非サービングセルのダウンリンク送信信号によりもたらされる同一チャネル干渉を処理するステップと
を有する方法。
【請求項５】
受信した前記干渉情報にしたがって、サービングセルのダウンリンク送信信号に対して前記非サービングセルのダウンリンク送信信号によりもたらされる同一チャネル干渉を処理する前記ステップが、
受信した前記生成パラメータにしたがって、前記非サービングセルの前記ユーザ端末固有基準信号配列を決定するステップと、
決定した前記ユーザ端末固有基準信号配列にしたがって、前記非サービングセルのダウンリンク送信チャネルのチャネル推定を実行するステップと、
得られたチャネル推定値と前記非サービングセルのパイロットデータ出力比情報とにしたがって、前記サービングセルのダウンリンク送信信号に対して前記非サービングセルのダウンリンク送信信号によりもたらされる前記同一チャネル干渉を処理するステップと
を含む、請求項4に記載の方法。
【請求項６】
決定した前記ユーザ端末固有基準信号配列にしたがって、前記非サービングセルのダウンリンク送信チャネルのチャネル推定を実行する前記ステップが、
前記サービングセルの現在スケジューリングされる時間−周波数リソースの位置で、物理リソースブロック（PRB）バンドリング情報、ユーザ端末固有基準信号配列復調チャネルに基づく送信モードが前記非サービングセルで使用されるPRBに関する情報、及び決定した前記ユーザ端末固有基準信号配列を送信するために前記非サービングセルで使用されるアンテナポートに関する情報に基づいて、復調パイロットシーケンスを取得するステップであって、前記復調パイロットシーケンスは、アンテナポート情報に対応するアンテナポートに対するものであるとともに、ダウンリンク送信チャネルで送信される基準信号を復調するために使用される、ステップと、
取得した前記復調パイロットシーケンスにしたがって、前記PRBバンドリング情報に基づき、前記非サービングセルの前記ダウンリンク送信チャネルのチャネル推定を実行するステップと
を含む、請求項4又は5に記載の方法。
【請求項７】
前記非サービングセルの前記パイロットデータ出力比情報が、
受信した前記干渉情報から取得されるか、又は、
予め設定された固定値である、請求項4又は5に記載の方法。
【請求項８】
同一チャネルセル干渉を処理するための装置であって、
非サービングセルの干渉情報を取得し、取得した前記干渉情報を送信モジュールに送信するように構成された取得モジュールであって、前記干渉情報が生成パラメータを含み、前記生成パラメータは、前記非サービングセルのユーザ端末固有基準信号配列の初期化パラメータを決定するために使用されるパラメータ値である、取得モジュールと、
前記取得モジュールによって送信される前記干渉情報を受信し、取得した前記非サービングセルの前記干渉情報をユーザ端末（UE）に送信するように構成された前記送信モジュールと
を具備する装置。
【請求項９】
前記取得モジュールによって取得される前記生成パラメータが、前記非サービングセルの物理セル識別子である、請求項8に記載の装置。
【請求項１０】
前記取得モジュールによって取得される前記干渉情報が、
前記非サービングセルの物理リソースブロック（PRB）バンドリング情報と、
前記非サービングセルのパイロットデータ出力比情報と
のうちの少なくとも1つのタイプの情報を更に含む、請求項8又は9に記載の装置。
【請求項１１】
同一チャネルセル干渉を処理するための装置であって、
非サービングセルの干渉情報を受信し、受信した前記干渉情報を処理モジュールに送信するように構成された受信モジュールであって、前記干渉情報が生成パラメータを含み、前記生成パラメータは、前記非サービングセルのユーザ端末固有基準信号配列の初期化パラメータを決定するために使用されるパラメータ値である、受信モジュールと、
前記受信モジュールによって送信される受信した前記干渉情報にしたがって、サービングセルのダウンリンク送信信号に対して前記非サービングセルのダウンリンク送信信号によりもたらされる同一チャネル干渉を処理するように構成された前記処理モジュールと
を具備する装置。
【請求項１２】
前記処理モジュールが、受信した前記生成パラメータにしたがって、前記非サービングセルの前記ユーザ端末固有基準信号配列を決定し、決定した前記ユーザ端末固有基準信号配列にしたがって、前記非サービングセルのダウンリンク送信チャネルのチャネル推定を実行し、得られたチャネル推定値と前記非サービングセルのパイロットデータ出力比情報とにしたがって、前記サービングセルのダウンリンク送信信号に対して前記非サービングセルのダウンリンク送信信号によりもたらされる前記同一チャネル干渉を処理するように更に構成される、請求項11に記載の装置。
【請求項１３】
前記処理モジュールが、前記サービングセルの現在スケジューリングされる時間−周波数リソースの位置で、物理リソースブロック（PRB）バンドリング情報、ユーザ端末固有基準信号配列復調チャネルに基づく送信モードが前記非サービングセルで使用されるPRBに関する情報、及び決定した前記ユーザ端末固有基準信号配列を送信するために前記非サービングセルで使用されるアンテナポートに関する情報に基づいて、復調パイロットシーケンスを取得し、取得した前記復調パイロットシーケンスにしたがって、前記PRBバンドリング情報に基づき、前記非サービングセルの前記ダウンリンク送信チャネルのチャネル推定を実行するように更に構成され、
前記復調パイロットシーケンスは、アンテナポート情報に対応するアンテナポートに対するものであるとともに、ダウンリンク送信チャネルで送信される基準信号を復調するために使用される、請求項11又は12に記載の装置。
【請求項１４】
前記処理モジュールによって取得される前記非サービングセルの前記パイロットデータ出力比情報が、
受信した前記干渉情報から取得されるか、又は、
予め設定された固定値である、請求項11又は12に記載の装置。
【請求項１５】
同一チャネルセル干渉を処理するためのシステムであって、
基地局と
ユーザ端末（UE）と
を具備し、
前記基地局は、非サービングセルの干渉情報を取得し、取得した前記非サービングセルの前記干渉情報を前記UEに送信するように構成され、
前記干渉情報は、生成パラメータを含み、
前記生成パラメータは、前記非サービングセルのユーザ端末固有基準信号配列の初期化パラメータを決定するために使用されるパラメータ値であり、
前記UEは、前記非サービングセルの前記干渉情報を受信し、受信した前記干渉情報にしたがって、サービングセルのダウンリンク送信信号に対して前記非サービングセルのダウンリンク送信信号によりもたらされる同一チャネル干渉を処理するように構成される、システム。
【国際調査報告】
2016528816.tif 000019
2016528816.tif 000020
2016528816.tif 000021
2016528816.tif 000022